(57)【特許請求の範囲】
【請求項１】
ハンドインのためのビーコンを通信するためのフェムトノードが実行する方法であって、
フェムトノード動作周波数を通じてパイロット信号を送信することと、
１つまたは複数のマクロセル基地局と通信する１つまたは複数のデバイスのハンドインを支援するために、ビーコンを生成することと、
マクロセル動作周波数上での、受信信号強度インジケータ（ＲＳＳＩ）またはＲＳＳＩの変化を求めたことに少なくとも一部基づいて、前記ビーコンのブロードキャストを決定することと、
前記フェムトノード動作周波数とは異なる前記１つまたは複数のマクロセル基地局の前記マクロセル動作周波数を通じて、前記ビーコンをブロードキャストすることと
を備える、方法。
【請求項２】
前記ビーコンに少なくとも一部基づいて、前記１つまたは複数のデバイスの前記ハンドインに関連する１つまたは複数のメッセージを、前記１つまたは複数のマクロセル基地局から受信することをさらに備える、請求項１に記載の方法。
【請求項３】
前記１つまたは複数のデバイスのための前記ハンドインを実行するための、ハンドオーバー命令を送信することをさらに備える、請求項２に記載の方法。
【請求項４】
前記１つまたは複数のデバイスによってターゲットフェムトノードについて報告された、受信されたタイミング測定結果または受信されたオフセットを、タイミング測定結果またはオフセットと比較することに少なくとも一部基づいて、前記ハンドオーバー命令を送信すると決定することをさらに備える、請求項３に記載の方法。
【請求項５】
前記マクロセル動作周波数上での前記ＲＳＳＩを閾値と比較して、１つまたは複数のデバイスの存在を判定することと、
前記ＲＳＳＩが少なくとも前記閾値にある場合に、前記ハンドオーバー命令を送信すると決定することとをさらに備える、請求項３に記載の方法。
【請求項６】
前記ビーコンを前記ブロードキャストすることが、パイロットチャネル、同期チャネル、またはシステム情報のための共通制御チャネルを、前記マクロセル動作周波数を通じてブロードキャストすることを備える、請求項１に記載の方法。
【請求項７】
前記ビーコンがフェムトノードの識別情報を備える、請求項１に記載の方法。
【請求項８】
前記フェムトノードの前記識別情報が、限定加入者グループ（ＣＳＧ）の識別情報、セルの識別情報、またはプライマリスクランブリングコード（ＰＳＣ）に相当する、請求項７に記載の方法。
【請求項９】
フェムトゲートウェイから前記ＰＳＣを受信することをさらに備える、請求項８に記載の方法。
【請求項１０】
前記フェムトノードの前記識別情報が、チップレベルのタイミング、フレームのタイミング、または、前記１つもしくは複数のマクロセル基地局に対する別の観測されたタイミングに相当する、請求項７に記載の方法。
【請求項１１】
前記ビーコンを送信するための出力を決定することをさらに備える、請求項１に記載の方法。
【請求項１２】
前記マクロセル動作周波数上での前記ＲＳＳＩを求めることをさらに備え、前記出力を前記決定することが、前記ＲＳＳＩに少なくとも一部基づく、請求項１１に記載の方法。
【請求項１３】
前記出力を前記決定することが、前記ＲＳＳＩが閾値レベルを超えたと判定されたことに少なくとも一部基づいて、前記出力を設定することを備える、請求項１２に記載の方法。
【請求項１４】
前記出力を前記決定することがさらに、前記ＲＳＳＩの上昇を検出した後の閾値の時間内に接続を試みるデバイスがないと判定することを備える、請求項１２に記載の方法。
【請求項１５】
前記出力を前記決定することがさらに、前記マクロセル動作周波数を通じて受信された信号の種類に少なくとも一部基づく、請求項１２に記載の方法。
【請求項１６】
前記ビーコンを送信するための前記出力を前記決定することが、前記ビーコンの最大送信出力に少なくとも一部基づく、請求項１１に記載の方法。
【請求項１７】
前記１つまたは複数のマクロセル基地局の信号強度、または、所望の距離もしくは所望の経路損失における前記ビーコンの所望の信号強度を求めたことに少なくとも一部基づいて、前記ビーコンの前記最大送信出力を決定することをさらに備える、請求項１６に記載の方法。
【請求項１８】
第２のマクロセル動作周波数上での第２のＲＳＳＩを求めることをさらに備え、前記出力を前記決定することが、前記ＲＳＳＩと前記第２のＲＳＳＩとの関係に少なくとも一部基づく、請求項１１に記載の方法。
【請求項１９】
前記マクロセル動作周波数上での、別のＲＳＳＩまたは前記別のＲＳＳＩの別の変化を求めたことに少なくとも一部基づいて、前記ビーコンのブロードキャストの停止を決定することをさらに備える、請求項１に記載の方法。
【請求項２０】
前記マクロセル動作周波数および前記フェムトノード動作周波数とは異なる、第２のマクロセル動作周波数で、第２のビーコンをブロードキャストすることをさらに備える、請求項１に記載の方法。
【請求項２１】
前記第２のビーコンを前記ブロードキャストすることが、前記第２のビーコンを送信するための期間にわたって周波数をホッピングさせることを備える、請求項２０に記載の方法。
【請求項２２】
ハンドインのためのビーコンを通信するための装置であって、
フェムトノード動作周波数を通じてパイロット信号を送信し、
１つまたは複数のマクロセル基地局と通信する１つまたは複数のデバイスのハンドインを支援するために、ビーコンを生成し、
マクロセル動作周波数上での、受信信号強度インジケータ（ＲＳＳＩ）またはＲＳＳＩの変化を求めたことに少なくとも一部基づいて、前記ビーコンのブロードキャストを決定し、
前記フェムトノード動作周波数とは異なる前記１つまたは複数のマクロセル基地局の前記マクロセル動作周波数を通じて、前記ビーコンをブロードキャストするように構成される、少なくとも１つのプロセッサと、
前記少なくとも１つのプロセッサに結合されたメモリと
を備える、装置。
【請求項２３】
前記少なくとも１つのプロセッサがさらに、前記ビーコンに少なくとも一部基づいて、前記１つまたは複数のデバイスの前記ハンドインに関連する１つまたは複数のメッセージを、前記１つまたは複数のマクロセル基地局から受信するように構成される、請求項２２に記載の装置。
【請求項２４】
前記少なくとも１つのプロセッサが、パイロットチャネル、同期チャネル、またはシステム情報のための共通制御チャネルを、前記ビーコンの中で、前記マクロセル動作周波数を通じてブロードキャストする、請求項２２に記載の装置。
【請求項２５】
前記少なくとも１つのプロセッサがさらに、前記ビーコンを送信するための出力を決定するように構成される、請求項２２に記載の装置。
【請求項２６】
前記少なくとも１つのプロセッサが、前記マクロセル動作周波数上での前記ＲＳＳＩを求めることによって少なくとも一部、前記出力を決定する、請求項２５に記載の装置。
【請求項２７】
ハンドインのためのビーコンを通信するための装置であって、
フェムトノード動作周波数を通じてパイロット信号を送信するための手段と、
１つまたは複数のマクロセル基地局と通信する１つまたは複数のデバイスのハンドインを支援するためのビーコンを生成するための手段と、
マクロセル動作周波数上での、受信信号強度インジケータ（ＲＳＳＩ）またはＲＳＳＩの変化を求めたことに少なくとも一部基づいて、前記ビーコンのブロードキャストを決定するための手段と
を備え、送信するための前記手段が、前記フェムトノード動作周波数と異なる前記１つまたは複数のマクロセル基地局の前記マクロセル動作周波数を通じて、前記ビーコンをブロードキャストする、装置。
【請求項２８】
前記ビーコンに少なくとも一部基づいて、前記１つまたは複数のデバイスの前記ハンドインに関連する１つまたは複数のメッセージを、前記１つまたは複数のマクロセル基地局から受信するための手段をさらに備える、請求項２７に記載の装置。
【請求項２９】
前記ビーコンを生成するための前記手段が、前記マクロセル動作周波数を通じた、パイロットチャネル、同期チャネル、またはシステム情報のための共通制御チャネルを備えるように、前記ビーコンを生成する、請求項２７に記載の装置。
【請求項３０】
前記ビーコンを送信するための出力を決定するための手段をさらに備える、請求項２７に記載の装置。
【請求項３１】
前記ビーコンを送信するための前記出力を決定するための前記手段が、前記マクロセル動作周波数上での前記ＲＳＳＩを求めることに少なくとも一部基づいて、前記出力を決定する、請求項３０に記載の装置。
【請求項３２】
少なくとも１つのコンピュータに、フェムトノード動作周波数を通じてパイロット信号を送信させるためのコードと、
前記少なくとも１つのコンピュータに、１つまたは複数のマクロセル基地局と通信する１つまたは複数のデバイスのハンドインを支援するためにビーコンを生成させるためのコードと、
前記少なくとも１つのコンピュータに、マクロセル動作周波数上での、受信信号強度インジケータ（ＲＳＳＩ）またはＲＳＳＩの変化を求めたことに少なくとも一部基づいて、前記ビーコンのブロードキャストを決定させるためのコードと、
前記少なくとも１つのコンピュータに、前記フェムトノード動作周波数とは異なる前記１つまたは複数のマクロセル基地局の前記マクロセル動作周波数を通じて、前記ビーコンをブロードキャストさせるためのコードと
を備える、ハンドインのためのビーコンを通信するためのコードを記憶するコンピュータ可読記憶媒体。
【請求項３３】
前記少なくとも１つのコンピュータに、前記ビーコンに少なくとも一部基づいて、前記１つまたは複数のデバイスの前記ハンドインに関連する１つまたは複数のメッセージを、前記１つまたは複数のマクロセル基地局から受信させるためのコードをさらに備える、請求項３２に記載のコンピュータ可読記憶媒体。
【請求項３４】
前記少なくとも１つのコンピュータにブロードキャストさせるための前記コードが、パイロットチャネル、同期チャネル、またはシステム情報のための共通制御チャネルを、前記ビーコンの中で、前記マクロセル動作周波数を通じてブロードキャストする、請求項３２に記載のコンピュータ可読記憶媒体。
【請求項３５】
前記少なくとも１つのコンピュータに、前記ビーコンを送信するための出力を決定させるためのコードをさらに備える、請求項３２に記載のコンピュータ可読記憶媒体。
【請求項３６】
前記少なくとも１つのコンピュータに前記出力を決定させるための前記コードが、前記マクロセル動作周波数上での前記ＲＳＳＩを求めることによって少なくとも一部、前記出力を決定する、請求項３５に記載のコンピュータ可読記憶媒体。
【請求項３７】
ハンドインのためのビーコンを通信するための装置であって、
フェムトノード動作周波数を通じてパイロット信号を送信するための通信コンポーネントと、
１つまたは複数のマクロセル基地局と通信する１つまたは複数のデバイスのハンドインを支援するためのビーコンを生成し、マクロセル動作周波数上での、受信信号強度インジケータ（ＲＳＳＩ）またはＲＳＳＩの変化を求めたことに少なくとも一部基づいて、前記ビーコンのブロードキャストを決定するためのビーコン生成コンポーネントと
を備え、前記通信コンポーネントが、前記フェムトノード動作周波数と異なる前記１つまたは複数のマクロセル基地局の前記マクロセル動作周波数を通じて、前記ビーコンをブロードキャストする、装置。
【請求項３８】
前記ビーコンに少なくとも一部基づいて、前記１つまたは複数のデバイスの前記ハンドインに関連する１つまたは複数のメッセージを、前記１つまたは複数のマクロセル基地局から受信するためのハンドオーバー管理コンポーネントをさらに備える、請求項３７に記載の装置。
【請求項３９】
前記ハンドオーバー管理コンポーネントが、前記１つまたは複数のデバイスのための前記ハンドインを実行するためのハンドオーバー命令を送信する、請求項３８に記載の装置。
【請求項４０】
前記ハンドオーバー管理コンポーネントが、前記１つまたは複数のデバイスによってターゲットフェムトノードについて報告された、受信されたタイミング測定結果または受信されたオフセットを、タイミング測定結果またはオフセットと比較することに少なくとも一部基づいて、前記ハンドオーバー命令を送信すると決定する、請求項３９に記載の装置。
【請求項４１】
前記ハンドオーバー管理コンポーネントが、前記マクロセル動作周波数上での前記ＲＳＳＩを閾値と比較して、１つまたは複数のデバイスの存在を判定し、前記ＲＳＳＩが少なくとも前記閾値にある場合に、前記ハンドオーバー命令を送信すると決定する、請求項３９に記載の装置。
【請求項４２】
前記ビーコン生成コンポーネントが、前記マクロセル動作周波数を通じた、パイロットチャネル、同期チャネル、またはシステム情報のための共通制御チャネルを備えるように、前記ビーコンを生成する、請求項３７に記載の装置。
【請求項４３】
前記ビーコンがフェムトノードの識別情報を備える、請求項４２に記載の装置。
【請求項４４】
前記フェムトノードの前記識別情報が、限定加入者グループ（ＣＳＧ）の識別情報、セルの識別情報、またはプライマリスクランブリングコード（ＰＳＣ）に相当する、請求項４３に記載の装置。
【請求項４５】
前記ビーコン生成コンポーネントが、フェムトゲートウェイから前記ＰＳＣを受信する、請求項４４に記載の装置。
【請求項４６】
前記フェムトノードの前記識別情報が、チップレベルのタイミング、フレームのタイミング、または、前記１つもしくは複数のマクロセル基地局に対する別の観測されたタイミングに相当する、請求項４３に記載の装置。
【請求項４７】
前記ビーコンを送信するための出力を決定するためのビーコン出力決定コンポーネントをさらに備える、請求項３７に記載の装置。
【請求項４８】
前記ビーコン出力決定コンポーネントが、前記マクロセル動作周波数上での前記ＲＳＳＩを求めたことに少なくとも一部基づいて、前記出力を決定する、請求項４７に記載の装置。
【請求項４９】
前記ビーコン出力決定コンポーネントが、前記ＲＳＳＩが閾値レベルを超えたと判定されたことに少なくとも一部基づいて、前記出力を下げる、請求項４８に記載の装置。
【請求項５０】
前記ビーコン出力決定コンポーネントが、前記ＲＳＳＩの上昇を検出した後の閾値の時間内に接続を試みるデバイスがないと判定すると、前記出力を下げる、請求項４８に記載の装置。
【請求項５１】
前記ビーコン出力決定コンポーネントが、前記マクロセル動作周波数を通じて受信された信号の種類にさらに少なくとも一部基づいて、前記出力を決定する、請求項４８に記載の装置。
【請求項５２】
前記ビーコン出力決定コンポーネントが、前記ビーコンの最大送信出力に少なくとも一部基づいて前記ビーコンを送信するための前記出力を決定する、請求項４７に記載の装置。
【請求項５３】
前記ビーコン出力決定コンポーネントが、前記１つもしくは複数のマクロセル基地局の信号強度、または、所望の距離もしくは所望の経路損失における前記ビーコンの所望の信号強度を求めたことに少なくとも一部基づいて、前記ビーコンの前記最大送信出力を決定する、請求項５２に記載の装置。
【請求項５４】
前記ビーコン出力決定コンポーネントが、第２のマクロセル動作周波数上での第２のＲＳＳＩを求め、前記ＲＳＳＩと前記第２のＲＳＳＩとの関係に少なくとも一部基づいて前記出力を決定する、請求項４７に記載の装置。
【請求項５５】
前記ビーコン生成コンポーネントが、前記マクロセル動作周波数上での、別のＲＳＳＩまたは前記別のＲＳＳＩの別の変化を求めたことに少なくとも一部基づいて、前記ビーコンのブロードキャストを停止すると決定する、請求項３７に記載の装置。
【請求項５６】
前記ビーコン生成コンポーネントが、前記マクロセル動作周波数および前記フェムトノード動作周波数とは異なる、第２のマクロセル動作周波数でブロードキャストするための、第２のビーコンを生成する、請求項３７に記載の装置。
【請求項５７】
前記ビーコン生成コンポーネントが、前記第２のビーコンを生成して、前記第２のビーコンを送信するための期間にわたって周波数をホッピングさせる、請求項５６に記載の装置。
【発明の詳細な説明】
【優先権の主張】
【０００１】
米国特許法第１１９条に基づく優先権の主張
本特許出願は、２０１０年９月１６日に出願された、「ＡＰＰＡＲＡＴＵＳ  ＡＮＤ  ＭＥＴＨＯＤＳ  ＯＦ  ＨＡＮＤ−ＩＮ  ＴＯ  Ａ  ＦＥＭＴＯ  ＮＯＤＥ」という表題の仮出願第６１／３８３７１５号と、２０１０年９月１７日に出願された、「ＡＰＰＡＲＡＴＵＳ  ＡＮＤ  ＭＥＴＨＯＤＳ  ＯＦ  ＨＡＮＤ−ＩＮ  ＴＯ  Ａ  ＦＥＭＴＯ  ＮＯＤＥ」という表題の仮出願第６１／３８４１８９号との優先権を主張し、これらの仮出願は、本出願の譲受人に譲渡され、これによって参照により本明細書に明確に組み込まれる。
【技術分野】
【０００２】
以下の説明は、全般にワイヤレスネットワーク通信に関し、より詳細には、基地局の間でのデバイス通信のハンドインに関する。
【背景技術】
【０００３】
ワイヤレス通信システムが、たとえば音声、データなど、様々なタイプの通信コンテンツを提供するために広く展開されている。典型的なワイヤレス通信システムは、使用可能なシステムリソース（たとえば、帯域幅、送信出力、．．．）を共有することによって複数のユーザとの通信をサポートすることが可能な多元接続システムであってよい。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。さらに、システムは、第３世代パートナーシッププロジェクト（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）、Ｅｖｏｌｕｔｉｏｎ  Ｄａｔａ  Ｏｐｔｉｍｉｚｅｄ（ＥＶ−ＤＯ）などの規格に準拠し得る。
【０００４】
一般に、ワイヤレス多元接続通信システムは、複数のモバイルデバイスのための通信を同時にサポートすることができる。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは他のモバイルデバイスと（かつ／または基地局は他の基地局と）通信することができる。
【０００５】
従来の基地局を補うために、追加の制限された基地局を展開して、より安定したワイヤレスカバレッジをモバイルデバイスに与えることができる。たとえば、さらなる容量の増大、より上等なユーザ体験、屋内または他の特定の地理的カバレッジなどのために、（たとえば、集合的にＨ（ｅ）ＮＢと呼ばれるＨｏｍｅ  ＮｏｄｅＢまたはＨｏｍｅ  ｅＮＢ、フェムトノード、ピコノードなどと一般に呼ばれ得る）ワイヤレス中継局および低出力基地局が展開され得る。いくつかの構成では、モバイル事業者のネットワークへのバックホールリンクを提供することができる、ブロードバンド接続（たとえば、デジタル加入者回線（ＤＳＬ）ルータ、ケーブルまたは他のモデムなど）を介して、そのような低出力基地局をインターネットに接続することができる。したがって、たとえば、ユーザの自宅内に低出力基地局を展開して、ブロードバンド接続を介して１つまたは複数のデバイスにモバイルネットワークアクセスを提供することができる。
【０００６】
たとえば、そのような低出力基地局は、従来の基地局（たとえばマクロセル基地局）への／からの、デバイスのハンドインをサポートすることができる。一例では、このハンドインは、アクティブな呼を行っているデバイスのアクティブモードのハンドインを含み得る。そのようなハンドインには、いくつかの課題があり得る。たとえば、アクティブなハンドイン、特に異周波数のハンドインをトリガする際、低出力基地局へのデバイスのハンドインを開始するための、信頼できるトリガが存在しないことがある。別の例では、ある特定のセルの中の基地局に対する利用可能な識別子の数が、そのセルの中の基地局の数よりも少ないことがあるので、低出力基地局の曖昧さが問題になり得る。したがって、ハンドインの試行の対象である低出力基地局を一意に特定するには、識別子だけでは十分ではないことがある。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要なまたは重要な要素を特定するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の実施形態およびその対応する開示に従って、フェムトノードのような低出力基地局においてビーコン信号を生成し、低出力基地局へのデバイスのアクティブなハンドインを開始することと関連して、様々な態様が説明される。一例では、フェムトノードは、マクロセル基地局によって利用される周波数でビーコン信号をブロードキャストできるので、デバイスはビーコン信号を検出することができる。したがって、デバイスは、フェムトノードのパラメータをマクロセル基地局へ報告することができ、マクロセル基地局は、フェムトノードおよび／または１つもしくは複数のフェムトノードと関連するゲートウェイなどの支援を受けて、またはそれらの支援なしで、フェムトノードの特定を試みることができる。さらに、たとえば、ビーコン信号は、マクロセル基地局によって使われるビーコン信号または他のダウンリンク送信を模倣することができ、したがって、デバイスによる検出を支援するための、同様のチャネルまたは他のフォーマッティングパラメータを含み得る。加えて、ビーコン信号の他のパラメータは、様々な基地局のビーコンの曖昧さを解消するように扱われ、ビーコン信号によって引き起こされる干渉を軽減することなどができる。さらに、フェムトノードの他のパラメータを測定するために圧縮モードで動作することに関連するパラメータなどのデバイスの検討事項が、デバイスにおいてリソースを節減するように扱われ得る。
【０００９】
ある例によれば、アクティブなハンドインのためにビーコンを通信するための方法が提供される。この方法は、フェムトノード動作周波数を通じてパイロット信号を送信することと、１つまたは複数のマクロセル基地局と通信する１つまたは複数のデバイスのアクティブなハンドインを支援するためのビーコンを生成することとを含む。方法はさらに、フェムトノード動作周波数とは異なる１つまたは複数のマクロセル基地局のマクロセル動作周波数を通じて、ビーコンをブロードキャストすることを含む。
【００１０】
別の態様では、アクティブなハンドインのためにビーコンを通信するための装置が提供される。この装置は、フェムトノード動作周波数を通じてパイロット信号を送信し、１つまたは複数のマクロセル基地局と通信する１つまたは複数のデバイスのアクティブなハンドインを支援するためのビーコンを生成するように構成される、少なくとも１つのプロセッサを含む。少なくとも１つのプロセッサはさらに、フェムトノード動作周波数とは異なる１つまたは複数のマクロセル基地局のマクロセル動作周波数を通じて、ビーコンをブロードキャストするように構成される。この装置はまた、少なくとも１つのプロセッサに結合されたメモリを含む。
【００１１】
さらに別の態様では、フェムトノード動作周波数を通じてパイロット信号を送信するための手段を含む、アクティブなハンドインのためのビーコンを通信するための装置が提供される。この装置はさらに、１つまたは複数のマクロセル基地局と通信する１つまたは複数のデバイスのアクティブなハンドインを支援するためのビーコンを生成するための手段を含み、送信するための手段が、フェムトノード動作周波数と異なる１つまたは複数のマクロセル基地局のマクロセル動作周波数を通じて、ビーコンをブロードキャストする。
【００１２】
さらに、別の態様では、少なくとも１つのコンピュータに、フェムトノード動作周波数を通じてパイロット信号を送信させるためのコードと、少なくとも１つのコンピュータに、１つまたは複数のマクロセル基地局と通信する１つまたは複数のデバイスのアクティブなハンドインを支援するためのビーコンを生成させるためのコードとを有する、コンピュータ可読媒体を含む、アクティブなハンドインのためのビーコンを通信するためのコンピュータプログラム製品が提供される。コンピュータ可読媒体はさらに、少なくとも１つのコンピュータに、フェムトノード動作周波数とは異なる１つまたは複数のマクロセル基地局のマクロセル動作周波数を通じて、ビーコンをブロードキャストさせるためのコードを含む。
【００１３】
さらに、ある態様では、フェムトノード動作周波数を通じてパイロット信号を送信するための通信コンポーネントを含む、アクティブなハンドインのためのビーコンを通信するための装置が提供される。この装置はさらに、１つまたは複数のマクロセル基地局と通信する１つまたは複数のデバイスのアクティブなハンドインを支援するためのビーコンを生成するためのビーコン生成コンポーネントを含み、通信コンポーネントが、フェムトノード動作周波数と異なる１つまたは複数のマクロセル基地局のマクロセル動作周波数を通じて、ビーコンをブロードキャストする。
【００１４】
別の例では、ハンドオーバー要求においてフェムトノードを特定するための方法が提供される。この方法は、マクロセル動作周波数でビーコンをブロードキャストするためにフェムトノードによって利用されるプライマリスクランブリングコード（ＰＳＣ：primary scrambling code）を備える、ハンドオーバー要求メッセージを受信することと、ＰＳＣに一部基づいてフェムトノードを決定することとを含む。方法はさらに、ハンドオーバー要求メッセージをフェムトノードに伝えることを含む。
【００１５】
別の態様では、ハンドオーバー要求においてフェムトノードを特定するための装置が提供される。この装置は、マクロセル動作周波数でビーコンをブロードキャストするためにフェムトノードによって利用されるＰＳＣを備える、ハンドオーバー要求メッセージを受信するように構成される、少なくとも１つのプロセッサを含む。少なくとも１つのプロセッサはさらに、ＰＳＣに一部基づいてフェムトノードを決定し、ハンドオーバー要求メッセージをフェムトノードに伝えるように構成される。この装置はまた、少なくとも１つのプロセッサに結合されたメモリを含む。
【００１６】
さらなる別の態様では、マクロセル動作周波数でビーコンをブロードキャストするためにフェムトノードによって利用されるＰＳＣを備えるハンドオーバー要求メッセージを受信するための手段を含む、ハンドオーバー要求においてフェムトノードを特定するための装置が提供される。この装置はさらに、ＰＳＣに一部基づいてフェムトノードを決定するための手段を含み、ハンドオーバー要求メッセージを受信するための手段が、ハンドオーバー要求メッセージをフェムトノードに伝える。
【００１７】
さらに、別の態様では、マクロセル動作周波数でビーコンをブロードキャストするためにフェムトノードによって利用されるＰＳＣを備えるハンドオーバー要求メッセージを、少なくとも１つのコンピュータに受信させるためのコードを有するコンピュータ可読媒体を含む、ハンドオーバー要求においてフェムトノードを特定するためのコンピュータプログラム製品が提供される。コンピュータ可読媒体はさらに、少なくとも１つのコンピュータに、ＰＳＣに一部基づいてフェムトノードを決定させるためのコードと、少なくとも１つのコンピュータに、ハンドオーバー要求メッセージをフェムトノードに伝えさせるためのコードを含む。
【００１８】
さらに、ある態様では、マクロセル動作周波数でビーコンをブロードキャストするためにフェムトノードによって利用されるＰＳＣを備えるハンドオーバー要求メッセージを受信するためのハンドインコンポーネントを含む、ハンドオーバー要求においてフェムトノードを特定するための装置が提供される。この装置はさらに、ＰＳＣに一部基づいてフェムトノードを決定するためのフェムトノード曖昧性解消コンポーネントを含み、ハンドインコンポーネントが、ハンドオーバー要求メッセージをフェムトノードに伝える。
【００１９】
加えて、たとえば、近接表示のための方法が提供される。この方法は、限定加入者グループ（ＣＳＧ）識別子を備えるビーコンをデバイスにおいてフェムトノードから受信することと、ＣＳＧの識別子に一部基づいて、デバイスがフェムトノードのメンバーであるかどうかを判定することとを含む。この方法はさらに、上記の判定することと、ビーコンの測定結果とに少なくとも一部基づいて、フェムトノードの近傍に入ったことを無線ネットワークコントローラ（ＲＮＣ）に示すことを含む。
【００２０】
別の態様では、近接表示のための装置が提供される。この装置は、ＣＳＧの識別子を備えるビーコンをフェムトノードから受信し、ＣＳＧの識別子に一部基づいて、装置がフェムトノードのメンバーであるかどうかを判定するように構成される、少なくとも１つのプロセッサを含む。少なくとも１つのプロセッサはさらに、上記の判定することと、ビーコンの測定結果とに少なくとも一部基づいて、フェムトノードの近傍に入ったことをＲＮＣに示すように構成される。この装置はまた、少なくとも１つのプロセッサに結合されたメモリを含む。
【００２１】
さらなる別の態様では、ＣＳＧの識別子を備えるビーコンをフェムトノードから受信するための手段と、ＣＳＧの識別子とビーコンの測定の実行とに一部基づいて、装置がフェムトノードのメンバーであるかどうかを判定するための手段とを含む、近接表示のための装置が提供される。この装置はさらに、上記の判定することと、ビーコンの測定結果とに少なくとも一部基づいて、フェムトノードの近傍に入ったことをＲＮＣに示すための手段を含む。
【００２２】
さらに、別の態様では、少なくとも１つのコンピュータに、ＣＳＧの識別子を備えるビーコンをデバイスにおいてフェムトノードから受信させるためのコードと、少なくとも１つのコンピュータに、ＣＳＧの識別子に一部基づいて、デバイスがフェムトノードのメンバーであるかどうかを判定させるためのコードとを有する、コンピュータ可読媒体を含む、近接表示のためのコンピュータプログラム製品が提供される。このコンピュータ可読媒体はさらに、上記の判定することと、ビーコンの測定結果とに少なくとも一部基づいて、少なくとも１つのコンピュータに、フェムトノードの近傍に入ったことをＲＮＣへ示させるためのコードを含む。
【００２３】
さらに、ある態様では、ＣＳＧの識別子を備えるビーコンをフェムトノードから受信するための通信コンポーネントと、ＣＳＧの識別子とビーコンの測定の実行とに一部基づいて、装置がフェムトノードのメンバーであるかどうかを判定するための近接判定コンポーネントとを含む、近接表示のための装置が提供される。この装置はさらに、上記の判定することと、ビーコンの測定結果とに少なくとも一部基づいて、フェムトノードの近傍に入ったことをＲＮＣに示すためのパラメータ通信コンポーネントを含む。
【００２４】
別の例では、デバイスのために別の周波数の測定を設定するための方法が提供される。この方法は、ＣＳＧの識別子と、デバイスがＣＳＧのメンバーであることの指示とを備える、測定結果報告をデバイスから受信することと、上記の指示に少なくとも一部基づいて、デバイスのための１つまたは複数の測定設定パラメータを設定することとを含む。
【００２５】
別の態様では、デバイスのために別の周波数の測定を設定するための装置が提供される。この装置は、ＣＳＧの識別子と、デバイスがＣＳＧのメンバーであることの指示とを備える、測定結果報告をデバイスから受信するように構成される、少なくとも１つのプロセッサを含む。少なくとも１つのプロセッサはさらに、上記の指示に少なくとも一部基づいて、デバイスのための１つまたは複数の測定設定パラメータを設定するように構成される。この装置はまた、少なくとも１つのプロセッサに結合されたメモリを含む。
【００２６】
さらに別の態様では、ＣＳＧの識別子と、デバイスがＣＳＧのメンバーであることの指示とを備える、測定結果報告をデバイスから受信するための手段と、上記の指示に少なくとも一部基づいて、デバイスのための１つまたは複数の測定設定パラメータを設定するための手段とを含む、デバイスのために別の周波数の測定を設定するための装置が提供される。
【００２７】
さらに、別の態様では、ＣＳＧの識別子と、デバイスがＣＳＧのメンバーであることの指示とを備える測定結果報告を、少なくとも１つのコンピュータに、デバイスから受信させるためのコードを有するコンピュータ可読媒体を含む、デバイスのために別の周波数の測定を設定するための、コンピュータプログラム製品が提供される。コンピュータ可読媒体はさらに、上記の指示に少なくとも一部基づいて、少なくとも１つのコンピュータに、デバイスのための１つまたは複数の測定設定パラメータを設定させるためのコードを含む。
【００２８】
さらに、ある態様では、ＣＳＧの識別子と、デバイスがＣＳＧのメンバーであることの指示とを備える、測定結果報告をデバイスから受信するための近接受信コンポーネントを含む、デバイスのために別の周波数の測定を設定するための装置が提供される。この装置はさらに、上記の指示に少なくとも一部基づいて、デバイスのための１つまたは複数の測定設定パラメータを設定するための、ハンドインコンポーネントを含む。
【００２９】
上記および関連する目的を達成するために、１つまたは複数の態様は、以下で十分に説明される、特に特許請求の範囲で指摘される特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの等価物を含むものとする。
【００３０】
開示される態様を限定するためではなく開示される態様を例示するために与えられる、開示される態様が、添付の図面とともに以下で説明され、同様の表示は同様の要素を示す。
【図面の簡単な説明】
【００３１】
【図１】ビーコンを通信してデバイスのための異周波数のアクティブなハンドインを引き起こすための、ある例示的なシステムのブロック図。
【図２】ビーコンを生成してマクロセル周波数を通じて送信するための、ある例示的なシステムのブロック図。
【図３】フェムトノードへのハンドインのためのある例示的なシステムのブロック図。
【図４】ハンドオーバー要求メッセージを送信すべきフェムトノードを決定するための、ある例示的なシステムのブロック図。
【図５】ハンドオーバー要求メッセージを受信するフェムトノードの曖昧さを解消するための、ある例示的なシステムのブロック図。
【図６】測定されるビーコンの報告の対象であるフェムトノードへの、デバイスのアクティブなハンドインを支援するための、ある例示的なシステムのブロック図。
【図７】マクロセル動作周波数を通じてフェムトノードのために送信するためのビーコンを生成するための、ある例示的な方法のある態様のフローチャート。
【図８】ビーコンのブロードキャストを修正すべきかどうかを判定するための、ある例示的な方法のある態様のフローチャート。
【図９】ハンドオーバー要求メッセージを１つまたは複数のフェムトノードに伝える、ある例示的な方法のある態様のフローチャート。
【図１０】フェムトノードへの近接を示す、ある例示的な方法のある態様のフローチャート。
【図１１】フェムトノードへの近接に基づいて、デバイスのための測定設定パラメータを設定する、ある例示的な方法のある態様のフローチャート。
【図１２】マクロセル動作周波数を通じてフェムトノードのために送信するためのビーコンを生成する、ある例示的なシステムのブロック図。
【図１３】ハンドオーバー要求メッセージを１つまたは複数のフェムトノードに伝える、ある例示的なシステムのブロック図。
【図１４】フェムトノードへの近接を示す、ある例示的なシステムのブロック図。
【図１５】フェムトノードへの近接に基づいて、デバイスのための測定設定パラメータを設定する、ある例示的なシステムのブロック図。
【図１６】本明細書に記載の様々な態様による例示的なワイヤレス通信システムのブロック図。
【図１７】本明細書で説明される様々なシステムおよび方法とともに採用され得る例示的なワイヤレスネットワーク環境の図。
【図１８】本明細書の態様が実装され得る、いくつかのデバイスをサポートするように構成された例示的なワイヤレス通信システムを示す図。
【図１９】ネットワーク環境内でフェムトセルの展開を可能にするための例示的な通信システムの図。
【図２０】いくつかの定義されたトラッキングエリアを有するカバレッジマップの例を示す図。
【発明を実施するための形態】
【００３２】
ここで、様々な態様が図面を参照して説明される。以下の記述では、説明のために、１つまたは複数の態様の完全な理解を与えるために多数の具体的な詳細を記載する。ただし、そのような（１つまたは複数の）態様は、これらの具体的な詳細なしに実施できることは明らかであろう。
【００３３】
本明細書でさらに説明されるように、マクロセル基地局からのデバイスのハンドインを開始するように動作可能なビーコンを、フェムトノードにおいて生成することに関連する、様々な態様が提示される。フェムトノードに関連して説明されるが、本明細書の概念は、Ｈ（ｅ）ＮＢ、ピコセルまたはマイクロセルノード、中継ノードなどのような、実質的に任意の低出力基地局とともに利用され得ることを、理解されたい。加えて、アクティブモードのハンドインが考慮されるが、ハンドオーバーのようなさらなる用語が本明細書で利用されてよく、これらの用語の両方が、ワイヤレス通信における実質的に任意のハンドインまたはハンドオーバー機構を全般に含むことが意図される。一例では、フェムトノードは、マクロセル基地局のネットワークと関連付けられる所与の周波数でビーコンをブロードキャストし、デバイスのハンドインを支援または開始する。さらに、ある態様では、ネットワークは、デバイスがビーコンを検出した時に報告メッセージを生成するようにデバイスを構成することができ、マクロセル基地局または対応するネットワークは、報告メッセージの中の、または、その後ネットワークによって要求された報告メッセージの中の情報を使って、フェムトノードへのデバイスのハンドインをトリガすることができる。したがって、説明される装置および方法のビーコンは、デバイスが、フェムトノードのパイロット信号を取得し、デバイスまたは関連する通信（たとえば、デバイスのアクティブな呼など）をフェムトノードにハンドインすることを可能にする。
【００３４】
たとえば、いくつかの態様では、ビーコンは、異周波数のフェムトノードへのデバイスのハンドインを実行するように、デバイス（および、たとえばマクロセル基地局または対応するネットワーク）をトリガすることができる。他の態様では、たとえば、ビーコンは、ビーコンと関連するフェムトノードを決定するのを支援するために、近接表示を報告するようにデバイスをトリガすることができる。別の態様では、たとえば、ビーコンは、１つまたは複数のデバイスへの干渉を引き起こすことができ、これによって、ネットワークに、測定結果の報告を実行するようにデバイスを構成させることができる。この場合、ネットワークは、対応するプライマリスクランブリングコード（ＰＳＣ）の範囲のような、フェムトセルアクセスポイントまたは関連するビーコンをデバイスが認識するのを助けるための情報をデバイスに提供できるので、ビーコンの測定結果についての報告をネットワークに返すことができる。そのような測定結果の報告は、ハンドオーバー処理を助けるための追加の情報を含み得る。
【００３５】
加えて、さらなる態様では、説明された装置および方法は、フェムトノードの曖昧さの解消を可能にし得る。たとえば、ある態様では、ネットワークは、ターゲットセル識別子のような、（たとえばビーコンから取得される）報告メッセージ中の情報を使って、ターゲットフェムトノードを一意に特定することができる。加えて、または代替的に、ネットワークは、１つまたは複数のＰＳＣ、デバイスの識別情報、デバイスから受信された測定結果報告、または、測定結果報告の１つまたは複数のパラメータのような情報を、フェムトノードまたは関連するゲートウェイへ提供し、フェムトノードの特定を支援することができる。
【００３６】
加えて、ビーコンを送信するための初期出力、最大出力、または現在の出力、ビーコンを送信する期間などのような、ビーコンの多くの特性を本明細書で説明するように設定し、ビーコンと通信する１つまたは複数の基地局またはデバイスに対して引き起こされる、ビーコンの起こり得る干渉を管理することができる。さらに、デバイスがフェムトノード動作周波数に切り替えて、その動作周波数で測定を実行し報告できる、圧縮モードの期間のような、ビーコンを送信するフェムトノードを測定するデバイスの特性を管理することができる。たとえば、デバイスは、フェムトノードに近接していることを示すことができ、サービング基地局は、それに従って、デバイスが近傍にある間は圧縮モードをスケジューリングし、デバイスにおける無線リソースを節減することができる。
【００３７】
本出願で使用される「コンポーネント」、「モジュール」、「システム」などの用語は、限定はされないが、ハードウェア、ファームウェア、ハードウェアとソフトウェアの組合せ、ソフトウェア、または実行中のソフトウェアなど、コンピュータ関連のエンティティを含むものとする。たとえば、コンポーネントは、プロセッサ上で実行されるプロセス、プロセッサ、オブジェクト、実行可能ファイル、実行スレッド、プログラム、および／またはコンピュータであってよいが、これらに限定されない。例として、コンピューティングデバイス上で実行されるアプリケーションと、そのコンピューティングデバイスの両方がコンポーネントであってよい。１つまたは複数のコンポーネントがプロセスおよび／または実行スレッド内に存在してよく、コンポーネントは、１つのコンピュータ上に局在してよく、かつ／または２つ以上のコンピュータに分散してよい。さらに、これらのコンポーネントは、様々なデータ構造を記憶している様々なコンピュータ可読媒体から実行することができる。これらのコンポーネントは、信号を介して、ローカルシステム、分散システム内の別のコンポーネントと相互作用し、かつ／または、インターネットなどのネットワーク上で他のシステムと相互作用する、１つのコンポーネントからのデータのような、１つまたは複数のデータパケットを有する信号に従うことなどによって、ローカルプロセスおよび／またはリモートプロセスを介して通信することができる。
【００３８】
さらに、本明細書では、有線端末またはワイヤレス端末であってよい端末に関する様々な態様が説明される。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様が説明される。基地局は、（１つまたは複数の）ワイヤレス端末と通信するために利用することができ、アクセスポイント、Ｎｏｄｅ  Ｂ、ｅｖｏｌｖｅｄ  Ｎｏｄｅ  Ｂ（ｅＮＢ）、Ｈ（ｅ）ＮＢ、または何らかの他の用語で呼ばれることもある。
【００３９】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、語句「ＸはＡまたはＢを使用する」は、ＸがＡを使用する場合、ＸがＢを使用する場合、またはＸがＡとＢの両方を使用する場合のうちのいずれかによって満たされる。その上、本出願と添付の特許請求の範囲とで使用されるとき、冠詞「ａ」と「ａｎ」とは、別段指定されない限り、または単数形を対象とすべきであると文脈から明らかでない限り、通常、「１つまたは複数」を意味すると解釈されるべきである。
【００４０】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形形を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを利用しアップリンク上ではＳＣ−ＦＤＭＡを利用する、Ｅ−ＵＴＲＡを使用するＵＭＴＳのリリースである。ＵＴＲＡ、Ｅ−ＵＴＲＡ、ＵＭＴＳ、ＬＴＥおよびＧＳＭ（登録商標）は、「第３世代パートナーシッププロジェクト」（３ＧＰＰ）と称する組織からの文書に記載されている。さらに、ｃｄｍａ２０００およびＵＭＢは、「第３世代パートナーシッププロジェクト２」（３ＧＰＰ２）と称する組織からの文書に記載されている。さらに、そのようなワイヤレス通信システムは、不対無認可帯域、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００４１】
様々な態様または特徴は、いくつかのデバイス、コンポーネント、モジュールなどを含み得るシステムに関して提示される。様々なシステムは、追加のデバイス、コンポーネント、モジュールなどを含んでもよく、かつ／または、各図に関連して論じられるデバイス、コンポーネント、モジュールなどのすべてを含まなくてもよいことを理解および諒解されたい。これらの手法の組合せを使用することもできる。
【００４２】
図１を参照すると、ビーコンによって引き起こされるアクティブなハンドインのためのワイヤレス通信システム１００が示される。システム１００は、マクロネットワーク周波数ＦBでビーコン１０４を送信する、フェムトノード１０２を含む。システム１００はまた、マクロセル基地局１１０を介して無線ネットワークコントローラ（ＲＮＣ）１２０とのアクティブな呼１０８に関与できビーコン１０４を検出できる、デバイス１０６を含む。ある例では、したがってデバイス１０６は、デバイス１０６の通信（たとえばアクティブな呼１０８を含む）のフェムトノード１０２へのハンドイン１１２を開始することができる。具体的には、ビーコン１０４を検出すると、デバイス１０６は、１つまたは複数のネットワークノード、たとえば、ＲＮＣ  １２０、コアネットワーク（ＣＮ）１２２（たとえば、ゲートウェイ、モビリティ管理エンティティ、サポーティングノードなどのような、コアワイヤレスネットワークの１つまたは複数のノードを表し得る）、およびフェムトゲートウェイ１２４を通り、通信リンク１２６、１２８、１３０、および１３２を介する、フェムトノード１０２へのハンドオーバー要求メッセージ１１６および１１８の通信をトリガする、報告メッセージ１１４を生成することができる。それに応答して、たとえば、フェムトノード１０２は、ネットワークを通じて通信し戻されデバイス１０６によって受信され得る、ハンドオーバー命令メッセージ１３４を生成する。
【００４３】
ハンドオーバー命令メッセージ１３４は、デバイス１０６が、通信（たとえばアクティブな呼１０８を含む）をフェムトノード１０２へハンドインできるようにする。たとえば、アクティブな呼１０８を含む通信は、フェムトノードのパイロット周波数ＦH  １３６で搬送され得る。たとえば、フェムトノード１０２の動作周波数であり得る、フェムトノードのパイロット周波数ＦHは、ビーコン１０４の送信に使われるマクロネットワーク周波数ＦBとは異なる周波数であり得る。したがって、フェムトノード１０２がマクロセル基地局１１０とは異なる周波数で動作する場合でも、フェムトノード１０２によって送信されるビーコン１０４は、マクロセル基地局１１０からの通信のフェムトノード１０２への通信のハンドイン１１２を引き起こす。
【００４４】
一例では、フェムトノード１０２は、マクロセル基地局１１０またはＣＮ  １２２に関連する他の基地局によって送信されるビーコンと同様のものになるように、ビーコン１０４を生成することができる。したがって、たとえば、ビーコン１０４は、ＣＮ  １２２に参加する基地局のビーコンによって利用される、様々なチャネルを含み得る。別の例では、フェムトノード１０２は、ビーコン１０４の出力を制御して、マクロセル基地局１１０および／または他のフェムトセル基地局もしくはマクロセル基地局への、１つまたは複数の他のデバイスの通信に干渉するのを避けることができる。たとえば、フェムトノード１０２は、ビーコン１０４によって引き起こされるそのような干渉を検出しようとすることができ、かつ／または、干渉を軽減するために利用すべき出力を決定するために、そのような干渉を示すものを受信することができる。
【００４５】
いくつかの態様では、デバイス１０６からのメッセージ１１４の受信の後で、ＲＮＣ  １２０は、デバイス１０６が、１つまたは複数のメッセージ１３８をＲＮＣ  １２０に伝えることによって、フェムトノード１０２または対応するビーコン１０４に関する追加のパラメータを報告することを要求できることに留意されたい。デバイス１０６は次いで、１つまたは複数の追加の報告メッセージ１４０を生成して、要求された情報を報告することができる。一例では、デバイス１０６は、ビーコン１０４から、かつ／または、フェムトノード１０２の動作周波数を通じて他の信号を受信することによって、追加のパラメータを取得することができる。したがって、一例では、ＲＮＣ  １２０は、デバイス１０６の圧縮モードをスケジューリングして、フェムトノード１０２からの信号を測定することができる。一例では、デバイス１０６は、フェムトノード１０２へ近接していることをＲＮＣ  １２０に示すことができ、これによって、ＲＮＣ  １２０に、圧縮モードをスケジューリングさせることができる。たとえば、デバイス１０６は、近接メッセージを介して近接していることを明確に示すこと、ＲＮＣ  １２０が近接として解釈する測定結果報告メッセージを介して暗に示すことなどができる。
【００４６】
システム１００では、ハンドインを継続するために、メッセージ１１４および／または（１つまたは複数の）メッセージ１４０からの情報を使って、デバイス１０６によって検出される適切なフェムトノード１０２の識別を可能にできる。たとえば、ＲＮＣ  １２０、ＣＮ  １２２、フェムトゲートウェイ１２４、および／または他のコンポーネントによって、曖昧さの解消を実行することができる。本明細書でさらに論じられるように、そのような曖昧さの解消によって、フェムトノードまたはビーコンの識別子の再使用が行われる場合に、ビーコン１０４に対応するフェムトノード１０２を、エリアまたはセルの中で特定できるようになる。
【００４７】
図２を参照すると、フェムトノードへのアクティブなハンドインをデバイスに実行させるための、ワイヤレス通信システム２００が示される。システム２００は、デバイス１０６のような１つまたは複数のデバイスに、フェムトノード１０２へ通信をハンドインさせるための、１つまたは複数のビーコン１０４を通信できる、フェムトノード１０２を含む。デバイス１０６は、ＣＮ  １２２へのアクセス（たとえばＲＮＣ  １２０を介した）を提供する、マクロセル基地局１１０と通信することができる。システム２００はまた、フェムトノード１０２および１つまたは複数の他のフェムトノード（図示せず）の１つまたは複数のパラメータを管理する、フェムトゲートウェイ１２４を任意選択で含み得る。フェムトノード１０２は、本明細書で説明されるコンポーネントまたは機能のうちの１つまたは複数に関連する処理を実行するための、プロセッサ２０２を含み得る。プロセッサ２０２は、プロセッサまたはマルチコアプロセッサの単一または複数のセットを含み得る。さらに、プロセッサ２０２は、統合処理システムおよび／または分散処理システムとして実装され得る。
【００４８】
フェムトノード１０２はさらに、プロセッサ２０２によって実行されているローカルのアプリケーション、そのアプリケーションの命令、本明細書で説明される１つまたは複数の機能を実行するための命令などを記憶するためのメモリのような、メモリ２０４を含み得る。メモリ２０４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せのような、コンピュータが使用できる任意のタイプのメモリを含み得る。
【００４９】
さらに、フェムトノード１０２は、たとえば、本明細書で説明されるようなハードウェア、ソフトウェア、およびサービスを利用して、フェムトゲートウェイ１２４、ＣＮ  １２２（たとえばフェムトゲートウェイ１２４を介した）などのような、システム２００の１つまたは複数の他のコンポーネントとの通信の確立と維持とを実現する、通信コンポーネント２０６を含み得る。通信コンポーネント２０６は、フェムトノード１０２上のコンポーネント間の通信、さらに、フェムトノード１０２と、外部デバイス、たとえば、通信ネットワークにわたって位置するデバイス（たとえば、ＣＮ  １２２の１つまたは複数のコンポーネント、デバイス１０６など）および／またはフェムトノード１０２と連続的にまたはローカルに接続されるデバイスとの通信を、搬送することができる。たとえば、通信コンポーネント２０６は、１つまたは複数のバスを含んでよく、デバイス１０６のような外部デバイスと対話するために動作可能な、１つもしくは複数の送信機および受信機、または送受信機をそれぞれ含む、送信チェーンコンポーネントと受信チェーンコンポーネントとをさらに含み得る。
【００５０】
加えて、フェムトノード１０２は、データストア２０８をさらに含んでよく、データストア２０８は、本明細書で説明する態様に関連して利用される情報、データベース、およびプログラムの大容量記憶を実現する、ハードウェアおよび／またはソフトウェアの任意の適切な組合せであり得る。たとえば、データストア２０８は、プロセッサ２０２によって現在実行されていないアプリケーションのためのデータリポジトリであり得る。
【００５１】
フェムトノード１０２は、フェムトノード１０２のユーザから入力を受信するように動作可能であり、ユーザへの提示のための出力を生成するようにさらに動作可能な、ユーザインターフェースコンポーネント２１０を任意選択で含み得る。ユーザインターフェースコンポーネント２１０は、限定はされないが、キーボード、テンキー、マウス、タッチ感知式ディスプレイ、ナビゲーションキー、ファンクションキー、マイクロフォン、音声認識コンポーネント、ユーザからの入力を受け取ることが可能な任意の他の機構、またはそれらの任意の組合せを含む、１つまたは複数の入力デバイスを含み得る。さらに、ユーザインターフェースコンポーネント２１０は、限定はされないが、ディスプレイ、スピーカ、触覚フィードバック機構、プリンタ、出力をユーザに提示することが可能な任意の他の機構、またはそれらの任意の組合せを含む、１つまたは複数の出力デバイスを含み得る。
【００５２】
加えて、フェムトノード１０２は、１つまたは複数のビーコン１０４を生成するための、ビーコン生成コンポーネント２１２と、フェムトノード１０２へのデバイスのアクティブなハンドインを実行するための、ハンドオーバー管理コンポーネント２１４とを含み得る。フェムトノード１０２はまた、任意選択で、１つまたは複数のビーコン１０４の送信のための出力を決定および／または調整するための、ビーコン出力決定コンポーネント２１６を含み得る。
【００５３】
ある例によれば、ビーコン生成コンポーネント２１２はビーコン１０４を生成することができ、ビーコン１０４は、ＣＮ  １２２の基地局によるダウンリンク送信（たとえば、フェムトノード１０２の動作周波数のような、別のキャリアを通じたフェムトノード１０２の送信）を模倣することができ、通信コンポーネント２０６は、デバイス１０６または他のデバイスによるアクティブなハンドインを引き起こすために、ＣＮ  １２２の中のマクロセル基地局によって利用される周波数を通じて、ビーコン１０４を送信することができる。たとえば、ビーコン生成コンポーネント２１２は、パイロットチャネル（たとえば、広帯域ＣＤＭＡ（ＷＣＤＭＡ（登録商標））におけるｃｏｍｍｏｎ  ｐｉｌｏｔ  ｉｎｄｉｃａｔｏｒ  ｃｈａｎｎｅｌ  （ＣＰＩＣＨ））、同期チャネル（たとえば、ＷＣＤＭＡ（登録商標）におけるｐｒｉｍａｒｙ  ｓｙｎｃｈｒｏｎｉｚａｔｉｏｎ  ｃｈａｎｎｅｌ  （ＰＳＣＨ）、ｓｅｃｏｎｄａｒｙ  ｓｙｎｃｈｒｏｎｉｚａｔｉｏｎ  ｃｈａｎｎｅｌ  （ＳＳＣＨ）など）、制御チャネル（たとえば、ＷＣＤＭＡ（登録商標）におけるｐｒｉｍａｒｙ  ｃｏｍｍｏｎ  ｃｏｎｔｒｏｌ  ｐｈｙｓｉｃａｌ  ｃｈａｎｎｅｌ  （Ｐ−ＣＣＰＣＨ））などをビーコン１０４内に含めて、マクロセル基地局１１０または同様のビーコンを模倣することができる。加えて、マクロセル基地局１１０の動作周波数は、フェムトノード１０２の動作周波数とは異なっていてよいので、マクロセル基地局１１０の動作周波数で送信されるビーコン１０４は、マクロセル基地局１１０によってサービスされるデバイス１０６の異周波数のハンドインを引き起こし得る。
【００５４】
デバイス１０６は、マクロセル基地局の周波数を通じてビーコン１０４を受信することができ（たとえば、マクロセル基地局１１０と通信している間に）、測定結果報告において、ビーコンに関する１つまたは複数のパラメータをＲＮＣ  １２０に報告することができる。ＲＮＣ  １２０、フェムトゲートウェイ１２４、および／または、ＣＮ  １２２の１つもしくは複数のコンポーネントは、本明細書でさらに説明されるように、フェムトノード１０２を特定して、測定結果報告に基づいてデバイス１０６にフェムトノード１０２へハンドインさせることができる。たとえば、ハンドオーバー管理コンポーネント２１４は、ハンドインを行うデバイス１０６に関連する情報を提供するハンドオーバーメッセージを、ＲＮＣ  １２０から（たとえば、ＣＮ  １２２および／またはフェムトゲートウェイ１２４を介して）取得することができる。このメッセージは、ｒａｄｉｏ  ａｃｃｅｓｓ  ｎｅｔｗｏｒｋ  ａｐｐｌｉｃａｔｉｏｎ  ｐａｒｔ  （ＲＡＮＡＰ）移転要求メッセージまたは同様のメッセージであってよい。ハンドオーバー管理コンポーネント２１４は、それに従って、無線リソース制御（ＲＲＣ）ハンドオーバー命令を構築して、フェムトノード１０２と通信するようにデバイス１０６を構成することができる。たとえば、このことは、フェムトノード１０２から信号を受信するための対応するＰＳＣによって、フェムトノード１０２の動作周波数でデバイス１０６を構成することと、この命令をデバイス１０６へ伝える（たとえば、フェムトゲートウェイ１２４、ＣＮ  １２２、および／またはＲＮＣ  １２０を介して）こととを含み得る。ＲＮＣ  １２０は、それに従って、マクロセル基地局１１０を介した、フェムトノード１０２へのハンドオーバーのためにデバイスを構成することができる。
【００５５】
具体的な例として、ビーコン生成コンポーネント２１２は、ＣＰＩＣＨによってビーコン１０４をブロードキャストすることができ、ＣＰＩＣＨは、マクロセル基地局１１０の周波数上の１つまたは複数の限定加入者グループ（ＣＳＧ）リストからの別のＰＳＣを含み得る。たとえば、フェムトノード１０２は、本明細書でさらに説明されるように、あるデバイスへのアクセス、および／またはあるデバイスへの変化するレベルのアクセスを許可するために、制限された接続を実施することができる。ビーコン生成コンポーネント２１２は、ビーコン１０４のＣＰＩＣＨの中のパイロットをスクランブリングするのに利用される別のＰＳＣに基づいて、ＣＳＧの識別子を通知することができる。ビーコン１０４のＰＳＣは、フェムトノード１０２の動作周波数で通信するためにフェムトノード１０２によって使われるＰＳＣ（たとえば、動作周波数を通じたパイロット信号において示されるような）と、異なっていても同一であってもよい。この例では、デバイス１０６は、ビーコン１０４に使われるＰＳＣ（および／または、デバイス１０６が動作周波数上のパイロット信号を測定できる場合、動作周波数上で使われるＰＳＣ）に基づいて、ＣＳＧを特定することができ、かつ／または、マクロセル基地局１１０への測定結果報告に、そのような識別情報または（１つまたは複数の）ＰＳＣを含めることができる。
【００５６】
たとえば、フェムトノード１０２およびその動作周波数を通じてフェムトノード１０２によって使われるＰＳＣによって、ビーコン１０４の中で生成されるＰＳＣは、同じＰＳＣまたは異なるＰＳＣであり得る。ある例では、セル識別子への（１つまたは複数の）ＰＳＣの対応付けが、ＲＮＣ  １２０、ＣＮ  １２２、フェムトゲートウェイ１２４などに記憶され、ＰＳＣの１つまたは複数に基づいて、フェムトノード１０２を少なくとも部分的に特定するのを支援することができる。一例では、ビーコン１０４のＰＳＣの、動作周波数を通じたフェムトノード１０２のＰＳＣに対する、１対１の対応付け、多数対１の対応付け、１対多数の対応付けなどが存在してよく、これらの対応付けの各々は、フェムトノード１０２のセルの識別情報と関連付けられ得る。したがって、一例では、ビーコン１０４のためのＰＳＣは、ビーコン１０４のＰＳＣとフェムトノード動作周波数のＰＳＣとの一意な組合せを上記の対応付けに含めるために生成し、その後、報告されたＰＳＣに基づいてフェムトゲートウェイ１２４を特定するように、（たとえばフェムトゲートウェイ１２４またはＣＮ  １２２によって）割り当てられ得る。
【００５７】
別の具体的な例では、ビーコン生成コンポーネント２１２は、１つまたは複数のシステム情報ブロック（ＳＩＢ）、マスター情報ブロック（ＭＩＢ）を提供できるＰ−ＣＣＰＣＨをビーコン１０４に含めることができ、ＳＩＢ、ＭＩＢは、デバイス１０６が測定結果報告においてフェムトノード１０２に関連する識別情報を報告するのに利用できる、ＣＳＧの識別子、セルの識別子などを含み得る。たとえば、報告された識別子は、ＣＳＧの識別子、セルの識別子などであってよく、かつ／または、ＣＳＧの識別子、セルの識別子などに一部基づいて決定された識別子であってよい。
【００５８】
別の例では、ビーコン生成コンポーネント２１２は、ビーコン１０４内の個々のチャネル（たとえば、ＣＰＩＣＨ、ＰＳＣＨ／ＳＳＣＨ、Ｐ−ＣＣＰＣＨなど）の相対的な出力レベルを制御することができる。たとえば、ビーコン生成コンポーネント２１２は、Ｐ−ＣＣＰＣＨの出力を増大させて、デバイス１０６がシステム情報を受信するのに必要な時間を最小にすることができる。いずれの場合でも、たとえば、デバイス１０６から（たとえばマクロセル基地局１１０を介して）測定結果報告を受信すると、ＲＮＣ  １２０は、デバイス１０６をフェムトノード１０２へハンドインさせること、フェムトノード１０２の動作周波数でフェムトノード１０２を測定するように、デバイス１０６の測定設定パラメータ（たとえば圧縮モードのパラメータ）を設定させることなどのうちの少なくとも１つを行うことができる。したがって、ＲＮＣ  １２０が、デバイス１０６をハンドインすると決定すると、ＲＮＣ  １２０は、１つまたは複数のメッセージをフェムトノード１０２へ伝えて、ハンドインに備えることができる。本明細書でさらに説明されるように、ハンドオーバー管理コンポーネント２１４は、（たとえば、ＣＮ  １２２の１つまたは複数のコンポーネント、フェムトゲートウェイ１２４などを介して）ＲＮＣ  １２０からそのようなメッセージを受信することができ、デバイス１０６のハンドインに備えることができる。加えて、ある例では、ＲＮＣ  １２０がフェムトノード１０２の動作周波数またはフェムトノード１０２の１つもしくは複数のパラメータを知らない場合、ハンドオーバー管理コンポーネント２１４は、フェムトノード１０２の動作周波数（たとえば、および／または動作周波数を通じて使われるＰＳＣ）をＲＮＣ  １２０へ伝えて、デバイスがフェムトノード１０２へハンドインすることに対してＲＮＣ  １２０が準備できるようにし得る。
【００５９】
さらに、ある例では、ビーコン生成コンポーネント２１２は、デバイス１０６への干渉としてビーコンを生成することができる。この例では、ＲＮＣ  １２０は、（たとえば、ＷＣＤＭＡ（登録商標）におけるイベント１ｆ、２ｂ、２ｄなどと同様に）マクロセル基地局１１０の信号品質が閾値レベルを下回った時に、測定結果報告を生成するようにデバイス１０６を構成することができる。測定結果報告の生成がトリガされると、デバイス１０６は、ＲＮＣ  １２０によるそのような測定の設定に基づいて、説明されたような、フェムトノード１０２のＰＳＣまたは関連するビーコン１０４のＰＳＣ、さらに、チップレベルのタイミング情報、システムフレーム番号（ＳＦＮ）−セルフレーム番号（ＣＦＮ）のようなレイヤ２（たとえばメディアアクセス制御（ＭＡＣ）層）情報、セルの識別情報、ＣＳＧの識別情報、他の制限された接続のメンバーシップ情報などのような、追加の情報を報告する。たとえば、そのような情報は、他のフェムトノードのビーコンに対するビーコン１０４の曖昧さを解消するのを、かつ／またはフェムトノード１０２へのデバイス１０６のアクセス権を決定するのを、支援することができる。
【００６０】
さらに、ビーコン出力決定コンポーネント２１６は、通信コンポーネント２０６が、１つまたは複数のデバイスに対する干渉を軽減するためにビーコン１０４を送信する際に使える、送信出力を選択することができる。たとえば、ビーコン出力決定コンポーネント２１６は、ビーコン１０４の送信の前および／またはその間にアップリンクキャリアで検出される受信信号強度インジケータ（ＲＳＳＩ）に基づいて、出力を決定することができる。たとえば、ビーコン出力決定コンポーネント２１６は、通信コンポーネント２０６によって受信されたアップリンク信号に基づいて、ＲＳＳＩを取得することができる。加えて、ビーコン出力決定コンポーネント２１６は、１つまたは複数のＲＳＳＩの測定結果を利用して、デバイス１０６のようなデバイスの存在を検出することができる。たとえば、ＲＳＳＩが閾値レベルを超える場合、および／またはある期間にわたるＲＳＳＩの変化が少なくとも閾値である場合、ビーコン出力決定コンポーネント２１６は、デバイス１０６が存在すると判定することができる。ビーコン出力決定コンポーネント２１６は、デバイス１０６の検出された存在および／またはＲＳＳＩのレベルを使って、ビーコンをオンまたはオフし、かつ／または、ビーコン１０４を送信するための出力を調整することができる。
【００６１】
加えて、ビーコン出力決定コンポーネント２１６は、マクロセル基地局１１０（および／または他の基地局）に関連する１つまたは複数のパラメータに少なくとも一部基づいて、閾値のＲＳＳＩおよび／またはＲＳＳＩの変化の閾値を決定して、マクロセル基地局１１０に対する干渉を軽減することができる。たとえば、ビーコン出力決定コンポーネント２１６は、マクロセル基地局１１０への経路損失、マクロセル基地局１１０における雑音の上昇、マクロセル基地局１１０において許容されるダウンリンクパイロットチャネルの最大出力、マクロセル基地局１１０におけるデバイス１０６に対するアップリンクの信号対雑音比（ＳＩＲ）の目標などのうちの、少なくとも１つを取得することができる。前述のうちの少なくとも１つに基づいて、この例では、ビーコン出力決定コンポーネント２１６は、ビーコン１０４によって引き起こされ得るマクロセル基地局１１０に対する干渉を軽減するために、ビーコン１０４を調整すること、または、ビーコン１０４をオンもしくはオフすることに関連する、ＲＳＳＩの閾値および／またはある期間にわたるＲＳＳＩの変化の閾値を、設定することができる。
【００６２】
加えて、ビーコン出力決定コンポーネント２１６は、１つまたは複数の他のパラメータに基づいて、ビーコン１０４の送信出力を設定することができる。たとえば、ビーコン決定コンポーネント２１６は、マクロセル基地局１１０において設定される閾値または他のイベント、たとえば、特定のＷＣＤＭＡ（登録商標）構成における、異周波数の測定に対するイベント１ａ、ヒステリシス、およびイベント２ｄに基づいて、送信出力を設定することができる。別の例では、ビーコン出力決定コンポーネント２１６は、ビーコン１０４に対応するセル個別オフセット（ＣＩＯ：cell individual offset）に少なくとも一部基づいて、送信出力を決定することができる。たとえば、ビーコン出力決定コンポーネント２１６は、ＲＡＮＡＰハンドインメッセージングもしくは他のメッセージングに含まれるＲＮＣ  １２０における測定設定、ＣＮ  １２２の１つもしくは複数のコンポーネント（たとえば、ｏｐｅｒａｉｏｎｓ  ａｄｍｉｎｉｓｔｒａｔｉｏｎ  ａｎｄ  ｍａｉｎｔｅｎａｎｃｅ  （ＯＡＭ）サーバなど）によって受信される設定、マクロセル基地局１１０へのバックホールリンク、１つもしくは複数のデバイスとの通信、または他のｏｖｅｒ−ｔｈｅ−ａｉｒ（ＯＴＡ）接続などのうちの少なくとも１つから、そのようなパラメータを取得することができる。さらに、ビーコン出力決定コンポーネント２１６は、デバイス１０６または１つもしくは複数の他のデバイスから検出される信号の種類に基づいて、送信出力を設定することができる。
【００６３】
別の例では、ビーコン出力決定コンポーネント２１６は、通信コンポーネント２０６を利用して、複数のキャリア上のＲＳＳＩを測定することができる。この例では、ビーコン出力決定コンポーネント２１６は、デバイス１０６の異周波数のハンドインを示し得る、一方のキャリアでのＲＳＳＩの低下と、もう一方のキャリアでのＲＳＳＩの対応する上昇とを検出することによって少なくとも一部、デバイス１０６の存在を感知することができる。ビーコン１０４に関連するキャリアへのハンドオーバーが検出されると（たとえば、キャリアのＲＳＳＩが閾値レベルを超えて上昇すると）、ビーコン出力決定コンポーネント２１６は、それに従って、そのキャリア上のビーコン１０４をオフにし、かつ／またはその出力を下げることができる。
【００６４】
さらに別の例では、ビーコン出力決定コンポーネント２１６は、デバイス１０６の存在の検出に基づいて、ビーコン１０４をオンにし、かつ／または、対応する送信出力を選択することができる。したがって、（たとえば、上で説明されたような、または他の）１つまたは複数の感知機構を使って、ビーコン出力決定コンポーネント２１６は、デバイスの存在を検出することができ、それに従って、ＲＳＳＩ、ある期間にわたるＲＳＳＩの測定された変化などの関数として、ビーコン１０４の送信出力を設定することができる。一例では、ハンドオーバー管理コンポーネント２１４は、デバイス１０６がフェムトノード１０２に関連するＣＳＧのメンバーであるかどうかを判定することができ、メンバーではない場合、ビーコン出力決定コンポーネント２１６は、ビーコン１０４をオフにし、またはその出力を下げることができる。  一例では、ハンドオーバー管理コンポーネント２１４は、ＲＮＣ  １２０からの受信されたハンドオーバー要求に基づいて、デバイス１０６の認証を試みることによって、上記のような判定を行うことができる。別の例では、ハンドオーバー管理コンポーネント２１４は、ＲＳＳＩまたはＲＳＳＩの変化が閾値にあることを検出してからある期間が経っても、ＲＮＣ  １２０からのハンドオーバー要求メッセージを受信しないことに基づいて、上記のような判定を行うことができる。たとえば、このことは、感知されたデバイス１０６がフェムトノード１０２の範囲にありビーコン１０４を受信しているが、フェムトノード１０２へのハンドインを試みていない（たとえば、デバイス１０６がＣＳＧの中にないとデバイス１０６が判定したために）ことを、示し得る。
【００６５】
一例では、音声の呼のデバイス１０６におけるアップリンク送信出力は、パケット交換（ＰＳ）の呼またはｈｉｇｈ  ｓｐｅｅｄ  ｕｐｌｉｎｋ  ｐａｃｋｅｔ  ａｃｃｅｓｓ  （ＨＳＵＰＡ）の呼の出力よりも低くてよいので、ＲＳＳＩの上昇がより低くなり得る。したがって、ビーコン出力決定コンポーネント２１６によって検出される、ＲＳＳＩの所与の上昇は、フェムトノード１０２の近くにある、音声の呼の最中のデバイスによって引き起こされ、または、フェムトノード１０２からより離れたデバイスからのＰＳ／ＨＳＵＰＡの呼によって引き起こされ得る。この例では、接近しているデバイス１０６が、フェムトノード１０２から閾値の距離にある時にアクティブなハンドインをトリガできるように、ビーコン出力決定コンポーネント２１６は、ビーコン１０４の出力を、比較的少量だけ低減することができる。一例では、これによって、別の非フェムトキャリアへの、デバイスによる異周波数のハンドインが試行され得るが、代替として、フェムトノード１０２への、デバイス１０６によるアクティブなハンドインが試行されてもよい。
【００６６】
ビーコン出力決定コンポーネント２１６は、ビーコン１０４によって引き起こされる干渉の軽減、ビーコン１０４の品質の維持、ＷＣＤＭＡ（登録商標）におけるイベント１ａまたは他のハンドインイベントのようなイベントをデバイス１０６においてトリガするための状態の生成のうちの少なくとも１つを試みる中で、ビーコン１０４の出力を設定することができる。加えて、ビーコン出力決定コンポーネント２１６は、ビーコン１０４の最大出力を設定することができ、このことは、ビーコン１０４の所望の信号強度を、所望の距離においてあるレベルに維持すること、または所望の経路損失に維持することのうちの少なくとも１つに基づき得る。たとえば、ビーコン出力決定コンポーネント２１６は、近くの基地局のパラメータに従って、たとえば、マクロセル基地局１１０のような近くの基地局の信号強度を、ネットワーク聴取モジュール（ＮＬＭ：network listening module）を使って測定すること、基地局からＳＩＢパラメータを受信することなどによって、上記のような決定を行うことができる。この点に関して、フェムトノード１０２が、マクロセル基地局１１０に対して異なる場所（たとえば、セル端またはセルサイトのような）に位置する場合、ビーコン出力決定コンポーネント２１６は、ビーコン１０４の異なる送信出力を決定することができる。
【００６７】
アップリンク出力の測定に基づいてデバイス１０６を感知することに関して説明されたが、ビーコン出力決定コンポーネント２１６は、デバイス１０６のＲＡＮＡＰ再配置必要メッセージを受信したことに基づいて、デバイス１０６の存在を検出することもできることを理解されたい。加えて、一例では、フェムトゲートウェイ１２４またはＲＮＣ  １２０から（たとえばＣＮ  １２２を介して）ハンドオーバーメッセージを受信すると、ハンドオーバー管理コンポーネント２１４は、フェムトノード１０２がデバイス１０６のハンドインの候補であるかどうかを判定することができる。たとえば、この判定は、マクロセル基地局１１０および／またはデバイス１０６までの経路損失、（たとえば、フェムトノード１０２の位置と比較された）デバイス１０６の受信された位置、１つまたは複数の報告されたＰＳＣ、１つまたは複数のデバイスの存在を判定するためにＲＳＳＩ（たとえば前のＲＳＳＩまたは他のものと比較された）を測定することなどに、一部基づき得る。別の例では、本明細書でさらに説明されるように、フェムトノード１０２が候補であるかどうかを判定することは、１つまたは複数の信号の測定結果、タイミングの測定結果、または、フェムトノード１０２の情報を知るためにデバイス１０６によって測定され報告される、サービングマクロセル基地局のタイミングの測定結果の差、タイミングオフセットなどを比較することに、少なくとも一部基づき得る。たとえば、ビーコン出力決定コンポーネント２１６は、報告されたＲＳＳＩをフェムトノード１０２のカバレッジ情報と比較して、所与の期間のＲＳＳＩの報告された変化が、ビーコン１０４、またはフェムトノード１０２によって送信された他の信号によって引き起こされたかどうかを判定することができる。引き起こされた場合、ハンドオーバー管理コンポーネント２１４は、ハンドインを受け入れることができ、そうではない場合、ハンドオーバー管理コンポーネント２１４は、（たとえば、ＲＡＮＡＰ再配置失敗メッセージのような拒絶メッセージを介して）ハンドインを拒絶することができ、またはそうでなければ拒否することができる。これによって、本明細書で説明されるように、フェムトゲートウェイ１２４、ＲＮＣ  １２０などがさらに、デバイス１０６によって報告されるフェムトノードの曖昧さを解消するのが可能になる。
【００６８】
マクロセル基地局１１０の動作周波数を通じて送信されるビーコン１０４に関して上で説明されたが、通信コンポーネント２０６は、ＣＮ  １２２に関連する他の基地局の動作周波数に相当し得る追加の周波数を通じて、ビーコン１０４および／または他のビーコンを送信できることを理解されたい。通信コンポーネント２０６は、ビーコン１０４の周波数ホッピングを実行して、異なる期間において異なる周波数にわたってビーコン１０４をホッピングさせることができる。上で説明された態様によれば、この例では、ビーコン出力決定コンポーネント２１６はまた、複数の動作周波数にわたるアップリンクでのデバイスの感知を実行することができる。一例では、ビーコン生成コンポーネント２１２は、所与の期間で複数の周波数を循環するように、ビーコンを生成することができる。たとえば、この循環は、ビーコン出力決定コンポーネント２１６によって実行されるアップリンクの感知に少なくとも一部基づき得るので、低いＲＳＳＩまたは他の測定結果を有する周波数キャリアが、ビーコンに対して選択されて、他のデバイスに対して引き起こされる干渉を軽減することができる。別の例では、そのキャリアのＲＳＳＩの上昇を引き起こすデバイスのハンドインをトリガするために、ビーコン生成コンポーネント２１２は、そのＲＳＳＩの上昇がビーコンについて観測される周波数キャリアを選択することができる。加えて、ビーコン１０４の送信は、１つまたは複数の構成などに従って、定期的にまたは非定期的に実行され得る。
【００６９】
加えて、以下でさらに説明されるように、フェムトノード１０２は、その動作周波数でパイロット信号も送信することができ、デバイス１０６は、フェムトノード１０２の動作周波数に合わせて、１つまたは複数の期間にパイロット信号をさらに受信することができる。一例では、通信コンポーネント２０６は、ビーコン１０４に対するＰＳＣとは異なるＰＳＣ、異なる送信出力などを使って、パイロット信号を送信することができる。一例では、ビーコン１０４のＰＳＣとパイロットに対して使われるＰＳＣとの組合せを使って、フェムトノード１０２の、他のフェムトノードに対する曖昧さを解消することができる。したがって、一例では、ビーコン１０４のＰＳＣは、フェムトゲートウェイ１２４またはＣＮ  １２２の１つまたは複数のコンポーネントによって割り当てられ、曖昧さの解消を支援することができる。
【００７０】
さらに、ある例では、フェムトノード１０２は、非メンバーデバイスが何らかの容量でフェムトノード１０２と通信できるように、ハイブリッドアクセスを提供するように構成され得る。これによって、そのようなデバイスは、ビーコン１０４の送信からの干渉を回避できるようになり得る。たとえば、その構成は位置に基づき得る（たとえば、企業のさらに内部にあるノードは企業の外部の非メンバーデバイスに対してビーコンの干渉をそれほど引き起こし得ないので、企業の入口の近くにあるフェムトノードは上記のように構成され得る）。加えて、ある例では、フェムトノード１０２はそのような場合、ＭＩＢ中でＣＳＧを送信するのを控えることによって、オープンアクセスモードで動作することができる。さらに、ある例では、フェムトノード１０２は、フェムトノード１０２を発見するようにアイドルモードのデバイスを指示するのに使われる、セル再選択ビーコンと共存するものとして、ビーコン１０４を送信することができる。
【００７１】
さらに、ビーコン生成コンポーネント２１２は、ビーコン１０４の長さを、ミリ秒（ｍｓ）の単位で、かつ／または１つもしくは複数のイベントに基づいて設定することができる。たとえば、ビーコン生成コンポーネント２１２は、ＰＳＣを特定するための時間（たとえば８００ｍｓ）と、システム取得を実行するための時間（たとえば７９０ｍｓ）と、着信するハンドインを検出するための時間（たとえば５００ｍｓ）と、ハンドインを完了するための任意選択の時間ＴＯHOaccとを足したものとして、最小の長さを設定することができる。一例では、最小の長さは、２０９０ｍｓ＋ＴＯHOaccに設定され得る。
【００７２】
図３を見ると、フェムトノードへのアクティブなハンドインをデバイスに実行させるための、ワイヤレス通信システム３００が示される。システム３００は、デバイス１０６のような１つまたは複数のデバイスに、フェムトノード１０２へ通信をハンドインさせるための、１つまたは複数のビーコン１０４を通信できる、フェムトノード１０２を含む。デバイス１０６は、ＣＮ  １２２へのアクセス（たとえばＲＮＣ  １２０を介した）を提供する、マクロセル基地局１１０と通信することができる。システム３００はまた、フェムトノード１０２および１つまたは複数の他のフェムトノード（図示せず）の１つまたは複数のパラメータを管理する、フェムトゲートウェイ１２４を任意選択で含み得る。デバイス１０６は、プロセッサ２０２と同様であり得るプロセッサ３０２、メモリ２０４と同様であり得るメモリ３０４、フェムトノード１０２、マクロセル基地局１１０などのようなシステム３００の１つもしくは複数の他のコンポーネントとの通信を確立し維持するために設けられる、通信コンポーネント２０６と同様であり得る通信コンポーネント３０６、データストア２０８と同様であり得るデータストア３０８、および／または、ユーザインターフェースコンポーネント２１０と同様であり得る任意選択のユーザインターフェースコンポーネント３１０を含み得る。
【００７３】
加えて、デバイス１０６は、１つまたは複数の基地局からの１つまたは複数のパイロット信号の測定を実行するための、パイロット測定コンポーネント３１２と、測定結果の報告、および／または１つもしくは複数の基地局への通信のハンドインに関連する１つもしくは複数の機能の実行のための、ハンドインコンポーネント３１４とを含み得る。デバイス１０６はまた、追加のパラメータに対する要求を受け取り、かつ／または、追加のパラメータを１つもしくは複数の基地局もしくは他のネットワークコンポーネントに伝えるための、パラメータ通信コンポーネント３１６、および／あるいは、デバイス１０６が１つまたは複数のフェムトノードの近傍にあると判定するための近接判定コンポーネント３１８を、任意選択で含み得る。
【００７４】
ある例では、通信コンポーネント３０６は、マクロセル基地局１１０および／またはＣＮ  １２２の中の他の基地局からの信号を受信するのに使われる周波数を通じて、フェムトノード１０２からビーコン１０４を受信することができる。たとえば、このことは、ハンドインコンポーネント３１４が、（たとえばＲＲＣ測定制御メッセージに基づいて）信号測定を実行するためのマクロセル基地局１１０によって予定された期間、またはそうでなければ、示された期間に、ハンドインのための周波数上の信号を測定すると決定したことに、応じたものであってよい。パイロット測定コンポーネント３１２は、マクロセル基地局１１０またはＣＮ  １２２の中の同様の基地局のダウンリンク送信を模倣できる、ビーコン１０４の測定を含む測定を実行でき、ハンドインコンポーネント３１４は、マクロセル基地局１１０を介して、（たとえばハンドインに関連する測定結果報告において）測定結果をＲＮＣ  １２０に報告することができる。この例では、ＲＮＣ  １２０および／またはフェムトゲートウェイ１２４は、測定結果レポートにおいて提供される情報、および／または、デバイス１０６から要求される１つもしくは複数の他のパラメータ（たとえば、ＲＲＣ測定結果報告メッセージの中の）に基づいて、フェムトノード１０２および／または他のフェムトノードを特定することができる。この例では、ＲＮＣ  １２０は、ハンドオーバーメッセージをフェムトノード１０２に伝えることができ（たとえば、フェムトゲートウェイ１２４または他のものを通じて）、フェムトノード１０２の動作周波数を求めたことに基づいて、フェムトノード１０２への異周波数のハンドインを実行するようにデバイス１０６に命令することができる。この例では、ハンドインコンポーネント３１４は、その命令を受け取ることができ、フェムトノード１０２の動作周波数を通じてフェムトノード１０２と通信するように、通信コンポーネント３０６を調整することができる。
【００７５】
デバイス１０６が異周波数のハンドインをサポートする別の例では、パイロット測定コンポーネント３１２は、近接検出とともに使うためのビーコン１０４を測定することができる。この例では、近接判定コンポーネント３１８は、フェムトノード１０２への近接を判定することができ、パラメータ通信コンポーネント３１６は、ＲＮＣ  １２０への近接をシグナリングすることができる。たとえば、近接判定コンポーネント３１８は、ビーコン１０４の認識、フェムトノード１０２がデバイス１０６によってアクセス可能であるかどうかを、ビーコン１０４の中の識別子に基づいて判定すること（たとえば、ビーコン１０４において通知されるＣＳＧの識別子が、デバイス１０６のホワイトリストの中にあるかどうか、フェムトノード１０２がハイブリッドアクセスモードを提供するかどうか）、デバイスの位置とフェムトノード１０２の既知の位置（たとえば、ネットワーク構成において受け取られた、またはその他の）を判定することなどのうちの少なくとも１つに基づいて、近接を判定することができる。たとえば、近接判定コンポーネント３１８は、全地球測位システム（ＧＰＳ）、他の基地局の位置と他の基地局から受信された信号とに基づくｏｂｓｅｒｖｅｄ  ｔｉｍｅ  ｄｉｆｆｅｒｅｎｃｅ  ｏｆ  ａｒｒｉｖａｌ  （ＯＴＤＯＡ）などを使って、デバイス１０６の位置を決定することができる。別の例では、近接判定コンポーネント３１８は、デバイス１０６において設定される１つまたは複数の対応付けに従ってフェムトノード１０２への近接を示し得る、マクロセル基地局１１０との通信が起きると、マクロセル基地局１１０のセル識別情報を認識することができる。たとえば、この対応付けは、マクロセル基地局を近くのフェムトノードと関連付けることができ、ＲＮＣ  １２０、ＣＮ  １２２の１つまたは複数のコンポーネントなどから受け取られ得る。この対応付けは、ハードコーディングまたはデバイス１０６に記憶される他の設定などに基づいて、ＲＮＣ  １２０、ＣＮ  １２２の１つまたは複数のコンポーネントによって、デバイスに提供され得る。
【００７６】
近傍にある時、パラメータ通信コンポーネント３１６は、近傍にあることをＲＮＣ  １２０に通知することができ、ＲＮＣ  １２０は、１つまたは複数の測定設定パラメータによってデバイス１０６を設定することができる（たとえば、かつ／または、他の場合には、フェムトノード１０２と通信するために測定期間をデバイス１０６に与えることができる）。パイロット測定コンポーネント３１２が、ある期間内にフェムトノード１０２からのパイロット信号または他の信号を検出できない場合、パラメータ通信コンポーネント３１６は、デバイス１０６がもはやフェムトノード１０２の近傍にはないことをＲＮＣ  １２０に示すことができ、ＲＮＣ  １２０は、１つまたは複数の測定設定パラメータの設定を解除することができる。たとえば、このことは、デバイス１０６が測定期間をもはや与えられていないことを示すことを含み得る。この点において、ＲＮＣ  １２０は、フェムトノードの近傍にある時にデバイス１０６へ測定期間を与えて、帯域幅を節減することができる。
【００７７】
別の例では、説明されるように、ＲＮＣ  １２０は、ソース基地局の品質が閾値のレベルを下回った時に測定結果の報告を実行するように、デバイス１０６を構成することができ、品質が閾値のレベルを下回ることは、１つまたは複数のイベント（たとえば、ＷＣＤＭＡ（登録商標）におけるイベント１ｆ、２ｂ、２ｄなど）に基づき得る。ハンドインコンポーネント３１４は、そのような設定を受け取ることができ、それに従って、マクロセル基地局１１０からのパイロットの品質が閾値のレベルを下回ったことをパイロット測定コンポーネント３１２が検出した場合に、測定結果の報告をトリガすることができる。このことは、通信コンポーネント３０６などによって受信されたマクロセル基地局１１０からのパイロット信号または他の信号の、信号対雑音比（ＳＮＲ）または同様の測定を実行することに基づき得る。
【００７８】
加えて、たとえば、マクロセル基地局１１０は、ＰＳＣ、チップレベルのタイミング情報、レイヤ２情報（たとえば、ＳＦＮ／ＣＦＮ）、セルまたはＣＳＧの識別情報、メンバーシップ情報、マクロセル基地局１１０に対するタイミングの差などのような、１つまたは複数の他のパラメータを、測定結果の報告を伝える時に報告するように、デバイス１０６を構成することができる。この例では、パラメータ通信コンポーネント３１６は、そのような構成の要求を受け取ることができ、それに従って、ハンドインコンポーネント３１４が測定結果報告の生成を決定すると、１つまたは複数の要求されたパラメータを決定または測定することができる。たとえば、パラメータ通信コンポーネント３１６は、ビーコン１０４、フェムトノード１０２のシステム情報（たとえばＳＩＢ）などから、１つまたは複数のパラメータを決定することができる。ある例では、パラメータ通信コンポーネント３１６は、測定期間を必要とすることなく、マクロセル基地局１１０の周波数で、ビーコン１０４からフェムトノード１０２のＳＩＢまたは他の信号を読み取ることができる。しかし、他の例では、デバイス１０６が、フェムトノード１０２の動作周波数でフェムトノード１０２と通信するために、マクロセル基地局１１０の周波数とは離れた周波数に調整し得る場合に、パラメータ通信コンポーネント３１６は、１つまたは複数の圧縮モードの間、または他の期間に、フェムトノード１０２からＳＩＢまたは他の信号を読み取ることができることを理解されたい。したがって、一例では、デバイス１０６は、ビーコン１０４のＰＳＣと、動作周波数でパイロット信号を送信するためにフェムトノード１０２によって使われるＰＳＣとを、決定することができる。パラメータ通信コンポーネント３１６は、測定結果報告とともに、またはそれに続いて、（たとえば、ＲＲＣ測定結果報告メッセージまたは同様のメッセージにおいて）追加のパラメータを伝えることができることを理解されたい。本明細書において上で説明されたように、またさらに説明されるように、そのようなパラメータを使って、ビーコン１０４の他のビーコンに対する曖昧さを解消することができる。
【００７９】
たとえば、ＲＮＣ  １２０は、フェムトノード１０２を検出すると、フェムトノード１０２によって使われるＰＳＣを報告するように、デバイス１０６を構成することができる。たとえば、このことは、ＲＮＣ  １２０が、マクロセル基地局１１０の動作周波数で通信しているＣＳＧに対応するＰＳＣのリストを含み得る（かつ一例では、説明されたように、ビーコン１０４を伝えるのに利用されるＰＳＣを含み得る）ＲＲＣ測定制御メッセージまたは同様のメッセージを、デバイス１０６へ送信することを含み得る。この例では、パラメータ通信コンポーネント３１６は、ＰＳＣの構成または要求を受け取ることができる。パイロット測定コンポーネント３１２は、マクロセル基地局１１０の動作周波数を通じて受信されたビーコン１０４を測定することができ、ビーコン１０４に関連するＰＳＣがＲＲＣ測定制御メッセージにおいて受信されたリスト中にあると、判定することができる。説明されたように、パイロット測定コンポーネント３１２は、ビーコン１０４をスクランブリングするのに利用されるＰＳＣ、または、ビーコン１０４に関連するシステム情報からの他の情報などとして、ＰＳＣを決定することができる。
【００８０】
この例では、ハンドインコンポーネント３１４は、ビーコン１０４の測定結果（たとえば測定されたＳＮＲ）を含むＲＲＣ測定結果報告メッセージを生成することができ、一例では、パラメータ通信コンポーネント３１６は、測定結果報告の中にＰＳＣまたは他の測定されたパラメータも含めることができる。ハンドインコンポーネント３１４は、ＲＲＣ測定結果報告メッセージをＲＮＣ  １２０へ伝えることができる。別の例では、パラメータ通信コンポーネント３１６は、ＲＲＣ測定結果報告メッセージにおいて、ＰＳＣをＲＮＣ  １２０に送信することができる。ＲＮＣ  １２０、フェムトゲートウェイ１２４、および／または、ＣＮ  １２２の１つもしくは複数のコンポーネントは、少なくともＰＳＣを利用して、フェムトノード１０２と関連付けるビーコン１０４の曖昧さを解消することができる。たとえば、フェムトノード１０２の、セル識別子、観測されたタイミングの差などが、ビーコン１０４に対応するフェムトノード１０２の曖昧さを解消するために、追加で、または代替的に使われてよい。
【００８１】
一例では、フェムトノード１０２は、マクロセル基地局１１０と周波数内で動作することができる。この例では、パラメータ通信コンポーネント３１６は、フェムトノード１０２からＳＩＢを読み取り、ＲＮＣ  １２０によってトリガされる前に、または近接に基づいて、フェムトノード１０２の１つまたは複数のパラメータを求めることができる。この例では、パラメータ通信コンポーネント３１６は、フェムトノード１０２のＣＳＧの識別子を取得することができ、近接判定コンポーネント３１８はこのＣＳＧの識別子をさらに利用して、デバイス１０６がフェムトノード１０２の近傍にあるかどうかを判定することができる。たとえば、フェムトノード１０２が、デバイス１０６のホワイトリスト中にないＣＳＧの識別子を通知する場合、パラメータ通信コンポーネント３１６は、フェムトノード１０２への近接を通知する必要はない。そうである場合、パラメータ通信コンポーネント３１６は、近接を示すことができ、ＲＮＣ  １２０は、フェムトノード１０２への周波数内のハンドインをトリガすることができる。たとえば、パラメータ通信コンポーネント３１６は、セルの個々のオフセットおよび／またはフェムトノードの出力レベルに少なくとも一部基づいて、複数のフェムトノードのＳＩＢの読取りを優先させることができる。
【００８２】
フェムトノード１０２がハンドインのために検出されると、ハンドインコンポーネント３１４は、一例では、ＳＩＢ３が検出されるまでのＰ−ＣＣＰＣＨ送信時間間隔（ＴＴＩ）の復号、ＳＦＮ、ＭＩＢ、次いでＳＩＢ３の復号（たとえば、場合によっては複数の試みによって）、ならびに／または、ＭＩＢおよび／もしくはＳＩＢ１および／もしくはＳＩＢ２が、そしてそれらに続いてＳＩＢ３が、スケジューリング間隔において検出されるまでの、Ｐ−ＣＣＰＣＨ  ＴＴＩの連続的な復号のうちの少なくとも１つによって少なくとも一部、ＷＣＤＭＡ（登録商標）のシステム情報の取得を実行することができる。ハンドインコンポーネント３１４は、フェムトノード１０２（および／またはフェムトゲートウェイ１２４）へ提供してハンドイン命令を構築するために、説明されたような少なくともＳＩＢ３情報の１つまたは複数のパラメータを、（たとえば、測定結果報告または他のメッセージ中で）ＲＮＣ  １２０に報告することができる。この例では、ハンドインコンポーネント３１４は、フェムトノード１０２から、ＲＮＣ  １２０および／または他のコンポーネントを介して、ハンドイン命令を受信することができる。
【００８３】
図４を参照すると、フェムトノードへのアクティブなハンドインをデバイスに実行させるための、ワイヤレス通信システム４００が示される。システム４００は、デバイス１０６のような１つまたは複数のデバイスに、フェムトノード１０２へ通信をハンドインさせるための、１つまたは複数のビーコン１０４を通信できる、フェムトノード１０２を含む。デバイス１０６は、ＣＮ  １２２へのアクセス（たとえばＲＮＣ  １２０を介した）を提供する、マクロセル基地局１１０と通信することができる。システム４００はまた、フェムトノード１０２および１つまたは複数の他のフェムトノード（図示せず）の１つまたは複数のパラメータを管理する、フェムトゲートウェイ１２４を任意選択で含み得る。ＲＮＣ  １２０は、プロセッサ２０２と同様であり得るプロセッサ４０２、メモリ２０４と同様であり得るメモリ４０４、マクロセル基地局１１０、ＣＮ  １２２などのようなシステム４００の１つもしくは複数の他のコンポーネントとの通信を確立し維持するために設けられる、通信コンポーネント２０６と同様であり得る通信コンポーネント４０６、データストア２０８と同様であり得るデータストア４０８、および／または、ユーザインターフェースコンポーネント２１０と同様であり得る任意選択のユーザインターフェースコンポーネント４１０を含み得る。
【００８４】
加えて、ＲＮＣ  １２０は、ハンドインに関連するデバイスから測定結果報告を取得するための、測定結果報告受信コンポーネント４１２と、測定結果報告においてフェムトノードを特定するための、または少なくとも特定を支援するための、任意選択のフェムトノード曖昧性解消コンポーネント４１４と、１つまたは複数のフェムトノードまたは他の基地局へのデバイスのハンドインを実行するための、ハンドインコンポーネント４１６とを含み得る。ＲＮＣ  １２０は、任意選択で、フェムトノードを特定するためのデバイスからの追加のパラメータを受信するための、パラメータ通信コンポーネント４１８、および／または、デバイスが１つもしくは複数のフェムトノードの近傍にあることを示すものを取得するための、近接受信コンポーネント４２０を含み得る。
【００８５】
ある例によれば、ハンドインコンポーネント４１６は、デバイス１０６が、（たとえば、対応するＲＲＣ測定制御メッセージを基地局またはフェムトノードに伝えることによって）１つまたは複数のビーコンに対応する基地局またはフェムトノードの閾値の近傍内にあることを検出すると、１つまたは複数のビーコンのパイロット測定結果を報告するように、デバイス１０６を構成することができる。したがって、たとえば、説明されたように、デバイス１０６がフェムトノード１０２に対する閾値の近傍内にあると判定されたことに基づいて、デバイス１０６は、マクロセル基地局１１０の動作周波数を通じて、フェムトノード１０２からビーコン１０４を受信し、ビーコン１０４の中のパイロット信号を測定し、測定結果および／または１つもしくは複数の他のパラメータを有する測定結果報告を（たとえば、ＲＲＣ測定結果報告メッセージにおいて）ＲＮＣ  １２０に送信することができる。たとえば、このことは、ビーコン１０４の品質（たとえばＳＮＲ）に基づき得る。この例では、測定結果報告受信コンポーネント４１２は、デバイス１０６から測定結果報告を取得することができ、ハンドインコンポーネント４１６は、デバイス１０６が、フェムトノード１０２と通信するための（たとえば、フェムトノード１０２のシステム情報の読取りを実行するための）１つまたは複数の期間に周波数を切り替えるのを可能にするように、デバイス１０６の１つまたは複数の測定設定パラメータを設定することができる。たとえば、そのようなパラメータは、デバイス１０６が他の基地局またはフェムトノードを測定できる少なくとも１つまたは複数の時間間隔を規定する、１つまたは複数の圧縮モードのパラメータを含み得る。同様の例において、ハンドインコンポーネント４１６は、測定結果報告の代わりに、近接表示を報告するようにデバイス１０６を構成することができ、同様に、近接表示の受信に基づいて、圧縮モードを構成することができる。
【００８６】
別の例では、パラメータ通信コンポーネント４１８は、ＰＳＣ（たとえば、ビーコン１０４または１つもしくは複数の測定されたパイロット信号に使われる）、ＳＦＮ／ＣＦＮのようなレイヤ２情報、セルまたはＣＳＧの識別情報、メンバーシップ情報、マクロセル基地局１１０に対する観測されたタイミングの差などのような、測定される基地局に関連する他のパラメータを報告するように、デバイス１０６を構成することができる。この例では、説明されるように、デバイス１０６は、構成を受け取ることができ、それに従って、測定結果報告とともに、またはその後に、１つまたは複数のパラメータを報告することができる。一例では、パラメータは、フェムトノード１０２のシステム情報の読取りに基づいて、デバイス１０６によって測定され得ることを理解されたい。いずれの場合でも、パラメータ通信コンポーネント４１８は、１つまたは複数のパラメータを取得することができ、フェムトノード曖昧性解消コンポーネント４１４は、ビーコン１０４からデバイス１０６によって収集され報告される情報に基づいて、フェムトノード１０２を特定する際に、および／または、フェムトゲートウェイ１２４がフェムトノード１０２を特定できるようにする際に、１つまたは複数のパラメータを利用することができる。別の例では、本明細書で説明されるように、パラメータは、フェムトノード１０２を特定するために、フェムトゲートウェイ１２４に提供され得る。
【００８７】
一例では、デバイス１０６は、フェムトノード１０２のセルの識別情報（たとえばビーコン１０４で通知されるような情報、または他の情報）を、（たとえばＲＲＣ測定結果報告メッセージ中の）フェムトノード１０２の信号の測定結果を含む測定結果報告とともに、ＲＮＣ  １２０に伝えることができる。この例では、測定結果報告受信コンポーネント４１２は、測定結果報告を受信することができ、パラメータ通信コンポーネント４１８は、デバイス１０６によって伝えられたセルの識別情報を、受信することができ、またはそうでなければ判定することができる。ハンドインコンポーネント４１６は、測定結果報告におけるフェムトノード１０２の測定結果に基づいて、フェムトノード１０２へデバイス１０６をハンドインすると決定することができ、ＣＮ  １２２および／またはフェムトゲートウェイ１２４への１つまたは複数のハンドオーバーメッセージ（たとえば、ＲＡＮＡＰ再配置必要メッセージ）に、セルの識別情報を含めることができる。この点において、ＣＮ  １２２の１つもしくは複数のコンポーネントおよび／またはフェムトゲートウェイ１２４は、フェムトノード１０２の曖昧さを解消することができ、ハンドオーバーメッセージをフェムトノード１０２に伝えて、フェムトノード１０２へのデバイス１０６のハンドインを支援することができる。
【００８８】
別の例では、ビーコン１０４のＰＳＣは、フェムトノード１０２のセルの識別情報と対応付けられてよく、そのような対応付けは、フェムトノード曖昧性解消コンポーネント４１４によって、受信および／または記憶され得る。たとえば、フェムトノード曖昧性解消コンポーネント４１４は、ＣＮ  １２２の１つもしくは複数のコンポーネント、ＰＳＣを割り当てることができるフェムトノードゲートウェイ１２４、フェムトノード１０２、および／または他のコンポーネントから、１つまたは複数の対応付けを取得することができる。したがって、デバイス１０６は、説明されるように、ビーコン１０４のＰＳＣを決定して伝えることができ、パラメータ通信コンポーネント４１８は、デバイス１０６からＰＳＣを取得することができ、フェムトノード曖昧性解消コンポーネント４１４は、取得されたＰＳＣを使って（たとえば対応付けに基づいて）フェムトノード１０２を特定することができる。別の例では、パラメータ通信コンポーネント４１８は、デバイス１０６から、フェムトノード１０２のパイロット信号のＰＳＣを取得することができる。この例では、パイロット信号のＰＳＣと組み合わされたビーコン１０４のＰＳＣが、セルの識別情報を判定するために、対応付けにおいて使われ得る。たとえば、この組合せは、ＰＳＣのデカルト積などであってよい。別の例では、ハンドインコンポーネント４１６は、対応付けに基づいてセルの識別子を判定するために、１つまたは複数のＰＳＣをフェムトゲートウェイ１２４またはＣＮ  １２２のコンポーネントに伝えることができる。
【００８９】
さらに別の例では、パラメータ通信コンポーネント４１８は、ＣＮ  １２２またはフェムトゲートウェイ１２４へのハンドオーバーメッセージの中の、フェムトノード１０２に対応するデバイス１０６からの測定結果報告メッセージを取得することができる。ＣＮ  １２２またはフェムトゲートウェイ１２４は、測定結果報告メッセージを使って、それぞれのビーコン１０４に関する情報に基づいてフェムトノード１０２の特定を同様に試みることができる。いずれの場合でも、ハンドインコンポーネント４１６は、フェムトノード１０２の動作周波数（たとえば、および／または動作周波数上でフェムトノード１０２によって利用されるＰＳＣ）を受信することができ、それにしたがって、（たとえば、デバイス１０６に、ＰＳＣを使う信号の動作周波数へと自身の受信機を調整させることによって）デバイス１０６がフェムトノード１０２へハンドインするのを準備することができる。
【００９０】
ある例では、デバイス１０６は、フェムトノード１０２への近接を、ＲＮＣ  １２０に示すことができる。この例では、近接受信コンポーネント４２０は、その表示を取得することができ、ハンドインコンポーネント４１６は、デバイス１０６がある期間に（たとえば圧縮モードで）フェムトノード１０２を測定できるようにするように、デバイス１０６のための１つまたは複数の測定設定パラメータを設定することができる。同様の例では、デバイス１０６は、フェムトノード１０２の近傍から去ったことをＲＮＣ  １２０に示すことができ、その場合、ハンドインコンポーネント４１６は、（たとえば圧縮モードを使うのを止めるために）１つまたは複数の測定設定パラメータの設定を解除することができ、これによって無線リソースが節減され得る。
【００９１】
図５を見ると、フェムトノードへのアクティブなハンドインをデバイスに実行させるための、ワイヤレス通信システム５００が示される。システム５００は、デバイス１０６のような１つまたは複数のデバイスに、フェムトノード１０２へ通信をハンドインさせるための、１つまたは複数のビーコン１０４を通信できる、フェムトノード１０２を含む。デバイス１０６は、ＣＮ  １２２へのアクセス（たとえばＲＮＣ  １２０を介した）を提供する、マクロセル基地局１１０と通信することができる。システム５００はまた、フェムトノード１０２および１つまたは複数の他のフェムトノード（図示せず）の１つまたは複数のパラメータを管理する、フェムトゲートウェイ１２４を含む。フェムトゲートウェイ１２４は、プロセッサ２０２と同様であり得るプロセッサ５０２、メモリ２０４と同様であり得るメモリ５０４、フェムトノード１０２、ＣＮ  １２２などのようなシステム５００の１つまたは複数の他のコンポーネントとの通信を確立し維持するために設けられる、通信コンポーネント２０６と同様であり得る通信コンポーネント５０６、データストア２０８と同様であり得るデータストア５０８、および／または、ユーザインターフェースコンポーネント２１０と同様であり得る任意選択のユーザインターフェースコンポーネント５１０を含み得る。
【００９２】
加えて、フェムトゲートウェイ１２４は、１つまたは複数のＰＳＣおよび／または１つまたは複数のフェムトノードの他のパラメータ（たとえば、上で説明されたような、チップレベルのタイミング、フレームのタイミング、セルの識別情報など）を管理するためのＰＳＣコンポーネント５１２と、特定されたフェムトノードへのデバイスのハンドインを支援するためのハンドインコンポーネント５１４と、１つまたは複数のＰＳＣまたは他の識別子に基づいてフェムトノードを特定するための、フェムトノード曖昧性解消コンポーネント５１６とを含み得る。
【００９３】
ある例によれば、ハンドインコンポーネント５１４は、デバイス１０６がハンドインされるべきフェムトノード１０２を特定するハンドオーバーメッセージを、ＲＮＣ  １２０からＣＮ  １２２を介して取得することができる。たとえば、ハンドオーバーメッセージは、説明されたような、セルの識別子、送信されたビーコン１０４のＰＳＣ、フェムトノード１０２によって送信されるパイロット信号のＰＳＣ、ＣＳＧの識別子、レイヤ２情報などであり得る、フェムトノード１０２の識別子を含み得る。ハンドオーバーメッセージは、ＲＡＮＡＰ再配置要求または同様のメッセージを含み得る。フェムトノード曖昧性解消コンポーネント５１６は、識別子に基づいてフェムトノード１０２を特定することができ、ハンドインコンポーネント５１４は、上記のハンドオーバーメッセージまたは異なるハンドオーバーメッセージ（たとえばＲＡＮＡＰ再配置必要メッセージ）をフェムトノード１０２へ転送して、デバイス１０６のハンドインを支援することができる。この例では、説明されるように、フェムトノード１０２は、フェムトノード１０２の動作周波数へデバイス１０６を切り替えるための命令を準備することができ、その命令を、ＲＮＣ  １２０へ伝えるためにフェムトゲートウェイ１２４に与えることができる。
【００９４】
一例では、ＰＳＣコンポーネント５１２は、ビーコン１０４を送信するためにフェムトノード１０２によって利用されるＰＳＣを示すものを、割り当てまたはそうでなければ受け取ることができる。したがって、ＰＳＣコンポーネント５１２は、セルの識別子へのＰＳＣの対応付けを記憶できるので、フェムトノード曖昧性解消コンポーネント５１６はその後、ビーコン１０４について報告されたＰＳＣに基づいて、フェムトノード１０２を特定することができる。別の例では、ＰＳＣコンポーネント５１２は、フェムトノード１０２の動作周波数でパイロット信号を送信するためにフェムトノード１０２によって使用されるＰＳＣを示すものを、割り当てまたはそうでなければ受け取ることができる。したがって、ＰＳＣコンポーネント５１２は、報告されたＰＳＣに基づいてフェムトノード１０２をその後に特定するためのＰＳＣの組合せ（たとえば、ＰＳＣのデカルト積）に対応する、セルの識別情報を記憶することができる。さらに、ＰＳＣコンポーネント５１２は、チップレベルのタイミング、フレームのタイミング、セルの識別子などのような、フェムトノード１０２および／または他のフェムトノードに関する、他の観測された情報または受信された情報を記憶することができる。一例では、ＰＳＣコンポーネント５１２は、報告されたＰＳＣまたは他のパラメータに対するフェムトノードの曖昧さを解消するために、ＲＮＣ  １２０のような１つまたは複数の他のノードへのそのような対応付けを伝えることができる。
【００９５】
ハンドオーバーメッセージにおいて受信される識別子（たとえば、デバイス１０６によって報告される識別子および／または他の情報）が、フェムトノードと一意に一致しない場合、フェムトノード曖昧性解消コンポーネント５１６は、追加の情報を利用して、デバイス１０６がハンドインされるべきフェムトノードを特定することができる。たとえば、フェムトノード曖昧性解消コンポーネント５１６は、提供される識別子または他の情報に対応するフェムトノードの候補のセットのうちのいずれとデバイス１０６が通信を許されるかを、（たとえばＣＳＧの識別子に基づいて）判定することができる。１つのフェムトノード１０２が得られる場合、このフェムトノードは、ハンドインコンポーネント５１４がハンドオーバーメッセージを伝えるフェムトノードであり得る。別の例では、デバイス１０６は、ハンドオーバーメッセージに含まれ得るＲＲＣ測定結果報告メッセージを、ＲＮＣ  １２０に送信することができる。この例では、フェムトノード曖昧性解消コンポーネント５１６は、フェムトノードの候補のセットのうちのいずれが、マクロセル基地局１１０または１つもしくは複数の他の報告された基地局に対する報告された到達時間差、絶対的な時間、セルのカバレッジ、ＲＦパターン一致などを有し得るかを、判定することができる。
【００９６】
フェムトノード曖昧性解消コンポーネント５１６が、単一のフェムトノード１０２を決定できない（またはそうでなければそのように決定しない）場合、ハンドインコンポーネント５１４は、ハンドインを受け入れまたは拒否できる、フェムトノード１０２のような複数のフェムトノードにハンドオーバーメッセージを伝えることができる。複数の受け入れフェムトノードがある例では、ハンドインコンポーネント５１４は、関連するハンドオーバー命令をマクロセル基地局１１０に伝えることができ、マクロセル基地局１１０はさらに、説明されたように、他の利用可能な情報（たとえば、フェムトノードのカバレッジ情報に対して測定されたようなアップリンクのＲＳＳＩ、信号タイミングなど）に基づいて、フェムトノード１０２を選択しようと試みることができる。
【００９７】
図６は、ビーコンの送信に基づいてアクティブなハンドインのシグナリングを引き起こすための、ある例示的なシステム６００を示す。システム６００は、フェムトノード１０２と、デバイス１０６と、マクロセル基地局１１０と、ＲＮＣ  １２０と、ＣＮ  １２２と、任意選択のフェムトゲートウェイ１２４とを含み、これらは上で説明されたように通信することができる。
【００９８】
ある具体的な例（たとえば、ＷＣＤＭＡ（登録商標）のプレリリース９であるデバイスの例）では、ＲＮＣ  １２０は、ＲＲＣ測定制御メッセージ６０２をデバイス１０６に送信して、フェムトノード１０２のようなフェムトノードに属し得るＰＳＣに遭遇した時に報告するように、デバイス１０６のイベント１ａ／１ｄを設定することができる。一例では、ＲＲＣ測定制御メッセージ６０２は、測定されたフェムトノードと１つまたは複数の他の基地局との間のタイミングの差を（たとえばＳＦＮに基づいて）報告するように、デバイス１０６に指示することができる。デバイス１０６は次いで、フェムトノード１０２からビーコン６０４を検出することができ、ビーコン６０４は、説明されたように、マクロセル基地局１１０の動作周波数でブロードキャストされ得る。一例では、デバイス１０６は、フェムトノード１０２が、ＣＮ  １２２の１つまたは複数のコンポーネントから受信されるリスト中のＣＳＧと関連付けられると、判定することができる。たとえば、デバイス１０６は、ビーコン６０４、ビーコン６０４中のＣＳＧの識別子などに関連するＰＳＣからＣＳＧを決定することに基づいて、フェムトノード１０２のＣＳＧを決定することができる。さらに、たとえば、デバイス１０６は、ブロードキャストチャネル（ＢＣＣＨ）を読み取り、ＳＦＮを復号することができる。
【００９９】
たとえば、デバイス１０６は、ＣＳＧの識別子、ＰＳＣなどのようなフェムトノード１０２の識別情報、および／または、マクロセル基地局１１０に対するタイミングの差（たとえばＳＦＮに基づく）を含み得る、測定結果報告を生成することができる。デバイス１０６は、ＲＲＣ測定結果報告メッセージ６０６において、（たとえばマクロセル基地局１１０を介して）測定結果報告をＲＮＣ  １２０に送信することができる。ある例では、イベント１ａ／１ｄは、ビーコン６０４の測定結果に基づいてデバイス１０６においてトリガされてよく、デバイス１０６は、イベントに基づいて測定結果報告を伝えることができる。ＲＮＣ  １２０は次いで、ＲＡＮＡＰ再配置必要メッセージ６０８をＣＮ  １２２に送信することができ、ＲＡＮＡＰ再配置必要メッセージ６０８は、フェムトノード１０２のＰＳＣ（たとえば、またはＰＳＣに対応する識別子）、タイミングの差などのような、ＲＲＣ測定結果報告メッセージ６０６で受け取られる情報を含み得る。
【０１００】
一例では、ＲＮＣ  １２０は、ＲＡＮＡＰ再配置必要メッセージのセル識別子フィールドを、ＰＳＣによって、またはＰＳＣの関数として計算される値によって埋めることができる。１つの具体的な関数では、ｆａｋｅ−ＵＣ−Ｉｄは以下のような２８ビットの整数であってよい。
【数１】
0005599949.tif 000002
【０１０１】
これに関して、ＲＡＮＡＰ再配置必要メッセージの中でセル識別子として使われるｆａｋｅ−ＵＣ−Ｉｄは、関数によってエンコードされる特性を通知するフェムトノード１０２に対して、フェムトゲートウェイ１２４によって一致させられ得る。たとえば、フェムトゲートウェイ１２４は、（たとえばビーコンがｆａｋｅ−ＵＤ−Ｉｄ［９：１］におけるＰＳＣインデックスを含む場合）自身のビーコンがトリガされている可能性のあるフェムトノードと、ｆａｋｅ−ＵＣ−Ｉｄを一致させることができる。
【０１０２】
さらに、一例では、ＲＡＮＡＰ再配置必要メッセージ６０８は、ＲＲＣ測定結果報告メッセージ６０６の少なくとも一部を含んでよく、ＲＲＣ測定結果報告メッセージ６０６は、フェムトノード１０２が、ハンドインに続いてデバイス１０６と通信するための初期出力を設定できるようにし得る。ＣＮ  １２２は、対応するＲＡＮＡＰ再配置要求メッセージ６１０を、フェムトノード１０２に、任意選択でフェムトゲートウェイ１２４を通じて伝えることができ、フェムトゲートウェイ１２４は、説明されるように、ＲＡＮＡＰ再配置要求メッセージ６１０中の情報に基づいてフェムトノード１０２を決定することができる。たとえば、ＲＡＮＡＰ再配置要求メッセージ６１０は、受信されたＲＡＮＡＰ再配置必要メッセージ６０８からのパラメータを含み得る。この例では、フェムトノード１０２は、ＲＡＮＡＰ再配置要求メッセージ６１０に基づいてハンドオーバー命令６１２を構築することができ、６１４において示されるように、ハンドオーバー命令６１２をＲＮＣ  １２０に伝え、デバイス１０６へと戻して、フェムトノード１０２へのハンドインを支援することができる。
【０１０３】
説明されるように、フェムトノード１０２は、ハンドオーバー命令６１２を構築するかどうか、またはＣＮ  １２２からのＲＡＮＡＰ再配置要求を拒否する（たとえば、ＲＡＮＡＰ再配置失敗メッセージまたは同様のメッセージを送信することによって）かどうかを判定するために、追加の関数を実行することができる。たとえば、ＲＡＮＡＰ再配置要求メッセージ６１０を受信すると、フェムトノード６１２は、フェムトノード１０２がハンドインのターゲットであるべきかどうかを判定するものとしてデバイス１０６が検出されるかどうかを、判定することができる。ＲＲＣ測定結果報告メッセージが、ＲＡＮＡＰ再配置要求メッセージ６１０において受信される場合、フェムトノード１０２は、フェムトノード１０２および／またはＲＮＣ  １２０について報告されるＲＲＣ測定結果報告メッセージのセル同期情報要素において報告される、ＯＦＦとタイミング測定結果（Ｔm）とを求めることができる。たとえば、ＯＦＦ＝（ＳＦＮ−ＣＦＮTx）  ｍｏｄ  ２５６であり、ＳＦＮ−ＣＦＮは、ＯＦＦ×３８４００＋Tm、かつＴm＝（ＴUETx−Ｔ0）−ＴRxSFNとして定義される、マクロセル基地局１１０に対する観測された時間差である。上記の報告の対象であるノードの各ペアについて、フェムトノード１０２は、ＴRxSFN＝｛（ＯＦＦCELL1−ＯＦＦCELL2）×３８４００＋（Ｔm,CELL1−Ｔm,CELL2）｝  ｍｏｄ  （３８４００×２５６）を計算することができる。計算されたＴRxSFNが、フェムトノード１０２を示す閾値を超える確率を有する場合、この例では、フェムトノード１０２は、ハンドオーバー命令６１２を構築して、デバイス１０６をフェムトノード１０２へハンドインすることができる。
【０１０４】
ＷＣＤＭＡ（登録商標）では、フェムトノード１０２およびＲＮＣ  １２０のクロックには、１秒ごとに最大で１．３４チップだけのずれが生じ得る。加えて、デバイス１０６は、複数の経路を通じてフェムトノード１０２からの信号を受信することがあり、これは多くの場合、最大で±４０チップの遅延を生じ得る。以下の表は、タイミングを同期するためにフェムトノード１０２によって実行される１時間当たりのリフレッシュの数が与えられた場合の、計算されたＴRxSFNがたとえばフェムトノード１０２に一致する不確かさを示す。
【表１】
0005599949.tif 000003
【０１０５】
したがって、フェムトノード１０２は、上の表に基づいてフェムトノード１０２がターゲットであるかどうかを判定することができ、リフレッシュの頻度に基づいてＴRxSFNの測定された差が確かさの範囲内にあるかどうかを判定することができる。別の例では、フェムトノード１０２は、ＴRxSFN（たとえば、実際の、予測された、または不確かさ）をハンドオーバー命令の中でフェムトゲートウェイ１２４に伝えることができるので、フェムトゲートウェイ１２４は、フェムトノード１０２がターゲットになるべきかどうかを判定することができる。ターゲットになるべきである場合、フェムトゲートウェイ１２４は、様々なノードを通じて、ハンドオーバー命令をデバイス１０６に転送することができる。ターゲットであるべきではない場合、フェムトゲートウェイ１２４は、別のフェムトノードがターゲットフェムトノードを決定するための同様の値によって応答するかどうかを、判定することができる。別の例では、複数のハンドオーバー命令が受信される場合、フェムトゲートウェイ１２４は、ＴRxSFNの最も望ましい値に基づいて、ターゲットである確率の最も高いフェムトノード１０２を選択することができる。
【０１０６】
さらに、たとえば、デバイス１０６が、圧縮モードの測定期間の間に、フェムトノード１０２からのパイロット（たとえば、デバイス１０６によるＲＲＣ測定結果報告メッセージ６０６において、かつ／またはＲＮＣ  １２０からのＲＡＮＡＰ再配置必要メッセージ６０８において示され得る）とともにビーコン６０４を測定する場合、フェムトノード１０２は、ビーコン６０４とパイロットとの間でＴmを一致させることができる。
【０１０７】
別の特定の例（たとえば、ＷＣＤＭＡ（登録商標）のリリース９であるデバイスに対する例）では、ＲＮＣ  １２０は、ＲＲＣ測定制御メッセージ６０２を使って、ある時間間隔の間に、周波数内のシステム情報を取得するようにデバイス１０６を構成することができる。説明されたように、デバイス１０６はこうして、ビーコン６０４を検出することができ、ビーコン６０４中のＣＳＧの識別子、ＰＳＣなどを備える近接表示６０６をＲＮＣ  １２０に送信することができる。近接表示が実行されるかどうかに関係なく、デバイス１０６、ＲＮＣ  １２０、およびＣＮ  １２２は、ハンドインのためのリリース９による周波数内の手順を利用することができるが、フェムトノード１０２は、異周波数の手順を使って、ビーコン６０４に対応する周波数ではなくフェムトノード１０２の動作周波数でデバイス１０６にハンドインさせる。したがって、デバイス１０６は、他のフェムトノードの異周波数のパイロット信号を測定するのに、圧縮モードで通信する必要はない。
【０１０８】
図７〜図１０を参照すると、ビーコンを通信してアクティブなハンドインを支援することに関する例示的な方法が示されている。説明を簡単にするために、方法を一連の行為として示し説明するが、いくつかの行為は、１つまたは複数の実施形態によれば、本明細書で示し説明する順序とは異なる順序で、かつ／または他の行為と同時に行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、示されるすべての行為が必要とされるとは限らない。
【０１０９】
図７を参照すると、アクティブなハンドインを支援するためにビーコンをブロードキャストするのを支援する、例示的な方法７００が示されている。７０２において、パイロット信号が、フェムトノード動作周波数を通じて送信され得る。たとえば、パイロット信号は、システムへのアクセス権の取得および／またはパイロット信号の源の特定のための、パラメータを含み得る。７０４において、１つまたは複数のマクロセル基地局と通信する１つまたは複数のデバイスのアクティブなハンドインを支援するために、ビーコンが生成され得る。たとえば、ビーコンは、ワイヤレスネットワークの中のセルによるダウンリンク送信（たとえば同様のチャネルなどを含む）を模倣するように生成され得る。加えて、ある例では、ビーコンは、ビーコンの源の特定を支援するためにＰＳＣを含み得る。ＰＳＣは、一例では、フェムトゲートウェイまたは他のワイヤレスネットワークコンポーネントにおけるビーコンの源の特定を支援するために、フェムトゲートウェイによって割り当てられていてよい。任意選択で、７０６において、ビーコンを送信するための出力が求められ得る。たとえば、その出力は、初期出力、最大出力、および／または現在の出力であってよい。
【０１１０】
出力は、存在を感知すること、または、１つまたは複数のデバイスへの潜在的な干渉に基づいて、求められ得る。たとえば、説明されるように、このことは、１つまたは複数のパラメータまたは測定、たとえば、マクロセルの動作周波数を通じて測定されたＲＳＳＩ（たとえば、前のＲＳＳＩと比較されたＲＳＳＩ、他の周波数へのデバイスのハンドインを検出するために別の周波数のＲＳＳＩと比較されたＲＳＳＩなど）、１つまたは複数の他の基地局の測定された信号強度などに、基づき得る。７０８において、フェムトノード動作周波数とは異なる１つまたは複数のマクロセル基地局のマクロセル動作周波数を通じて、ビーコンがブロードキャストされ得る。したがって、ビーコンは、マクロセル動作周波数を通じてマクロセルと通信する１つまたは複数のデバイスの、アクティブモードのハンドインを支援することができる。
【０１１１】
図８を見ると、ビーコンのブロードキャストを調整すべきかどうかを判定するのを支援する、例示的な方法８００が示されている。８０２において、ビーコンが、マクロセル動作周波数を通じてブロードキャストされ得る。説明されるように、ビーコンは、マクロセル基地局のダウンリンク送信を模倣して、１つまたは複数のデバイスのアクティブなハンドインを支援することができる。８０４において、出力測定が、マクロセルの動作周波数を通じて実行され得る。たとえば、出力測定は、ＲＳＳＩまたは同様の測定であってよい。８０６において、デバイスが検出されるかどうかが判定され得る。たとえば、このことは、上で説明されたように、ＲＳＳＩの上昇に一部基づいて推測され得る。デバイスが検出される場合、８０８において、デバイスが通信を許可されていないかどうかが判定され得る。たとえば、この判定は、デバイスのための、通信を許可されているかどうかを示すものを取得すること、デバイスの認証を試みること、デバイスがアクセスを許可されるＣＳＧのホワイトリストを取得すること、およびホワイトリスト中のＣＳＧの識別子を見つけようと試みることなどを含み得る。デバイスが検出されない（たとえば、デバイスが通信を許可され得ない）場合、８１０において、より大きな出力でビーコンがブロードキャストされ得る。説明されるように、ビーコンの出力は、確定的な出力レベルに基づいて、ハンドインが検出されるまで段階的に、かつ／またはその他の方式で上げられ得る。
【０１１２】
いずれの場合でも、ビーコンをより大きな出力でブロードキャストしたことに続いて、他の出力測定を８０４において実行して、ビーコンの出力の動的な調整を支援することができる。８０８においてデバイスが（たとえばＣＳＧにおいて）通信を許可されない場合、８１２においてビーコンの出力が下げられ得る。たとえば、ビーコンの出力は、デバイスへの干渉を軽減するように、測定されたＲＳＳＩの関数、測定されたＲＳＳＩと前のＲＳＳＩの差などとして、下げられ得る。この例では、追加の出力測定が次いで８０４において実行され、ビーコンの出力の動的な調整を支援することができる。デバイスが８０６において検出されない場合、８１４において、ビーコンの送信が控えられ得る。この例でも、８０４において出力測定が実行され得る。
【０１１３】
図９を参照すると、フェムトノードへのデバイスの異周波数のハンドインを実行するための、ハンドオーバー要求メッセージを通信するための例示的な方法９００が示されている。９０２において、マクロセル動作周波数でビーコンをブロードキャストするためにフェムトノードによって利用されるＰＳＣを備える、ハンドオーバー要求メッセージが受信され得る。たとえば、ＰＳＣは、フェムトゲートウェイによってフェムトノードに割り当てられてよく、またはそうではない場合には、少なくともフェムトノードに対するＰＳＣの既知の関連付けが存在し得る。９０４において、フェムトノードが、ＰＳＣに一部基づいて決定され得る。したがって、たとえば、関連するパイロット信号の別のＰＳＣ、フェムトノードと１つまたは複数のマクロセル基地局との間で観測されるタイミングの差、アップリンクのＲＳＳＩ、デバイス、フェムトノードの報告された位置などのような、追加の受信されたパラメータまたは測定されたパラメータを利用して、フェムトノードの曖昧さを解消することができる。９０６において、ハンドオーバー要求メッセージがフェムトノードに伝えられ得る。したがって、フェムトノードは、デバイスのハンドインを受け入れる準備を行うことができる。
【０１１４】
図１０を見ると、フェムトノードに対する近接を示すための、例示的な方法１０００が示されている。１００２において、ＣＳＧの識別子を備えるビーコンが、デバイスにおいてフェムトノードから受信され得る。たとえば、ＣＳＧの識別子を使って、フェムトノードにおける制限された接続を実施し、説明されるように、ＣＳＧのメンバーへアクセス権を許可することができる。１００４において、デバイスがフェムトノードのメンバーであるかどうかが、ＣＳＧの識別子に一部基づいて判定され得る。たとえば、このことは、ＣＳＧの識別子をアクセス可能なＣＳＧの識別子のホワイトリストと比較すること、フェムトノードがハイブリッドモードで動作していると判定することなどを含み得る。１００６において、フェムトノードの近傍に入ったことが、上記の判定とビーコンの測定結果とに少なくとも一部基づいて、ＲＮＣに示され得る。たとえば、近接インジケータ（たとえば、近接インジケータ情報要素を有するシステム情報）とビーコンの測定結果（たとえばビーコンのＳＮＲ）とを備える測定結果報告が、ＲＮＣに送信され得る。したがって、フェムトノードから信号を受信するための、１つまたは複数の測定設定パラメータが受信され得る。たとえば、このパラメータは、圧縮モードで動作することに対応し得る。加えて、ＣＳＧの識別子を伴わないビーコンを受信すると、またはビーコンを受信しないと、たとえば、フェムトノードの近傍から出たことが示され得る。
【０１１５】
図１１を参照すると、デバイスのための測定設定パラメータを設定するための、例示的な方法１１００が示されている。１１０２において、ＣＳＧの識別子と、デバイスがＣＳＧのメンバーであることの指示とを備える、測定結果報告がデバイスから受信され得る。一例では、その識別子は、測定結果報告の一部であってよい。１１０４において、１つまたは複数の測定設定パラメータが、上記の指示に基づいて、デバイスに対して設定され得る。たとえば、測定設定パラメータは、圧縮モードで動作することに関連してよく、たとえば、デバイスが他の基地局を測定できる時間間隔を含み得る。加えて、デバイスからＣＳＧの識別子を含まない第２の測定結果報告を受信すると、測定設定パラメータは、設定を解除され得る。
【０１１６】
本明細書で説明される１つまたは複数の態様によれば、説明されるように、異周波数のアクティブなハンドインを支援するためにビーコンを送信すること、ビーコンの出力を求めること、ビーコンを所与の期間に送信するかどうかを判定すること、ビーコンに関連するフェムトノードを決定することなどに関する、推測が行われ得る。本明細書で使用する「推測する」または「推測」という用語は、概して、事象および／またはデータを介して捕捉された観測結果のセットから、システム、環境、および／またはユーザの状態について推理する、またはその状態を推測するプロセスを指す。推測は、特定の状況または動作を識別するために利用されてよく、または、たとえば、状態の確率分布を生成してよい。推測は、確率的であってよく、すなわち、データおよび事象の考察に基づく当該の状態の確率分布の計算であってよい。推測は、事象および／またはデータのセットからより高いレベルの事象を構成するために利用される技法を指すこともある。そのような推測から、イベントが時間的に近接して相関するか否かにかかわらず、かつ、イベントおよびデータが１つまたは複数のイベントおよびデータの発生源に由来するかどうかにかかわらず、観測されたイベントおよび／または記憶されたイベントデータのセットから新しいイベントまたは動作が構築される。
【０１１７】
図１２を参照すると、１つまたは複数のデバイスのアクティブなハンドインを引き起こすためのビーコンを生成するための、システム１２００が示されている。たとえば、システム１２００は、少なくとも部分的にフェムトノードの中に存在し得る。システム１２００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム１２００は、連携して動作することができる電気的コンポーネントの論理的な集団１２０２を含む。たとえば、論理的な集団１２０２は、フェムトノード動作周波数を通じてパイロット信号を送信するための電気的コンポーネント１２０４を含み得る。一例では、フェムトゲートウェイから割り当てられた、またはそうでなければ受信されもしくは決定された第１のＰＳＣは、パイロット信号の送信に利用され得る。
【０１１８】
さらに、論理的な集団１２０２は、１つまたは複数のマクロセル基地局１２０６と通信する１つまたは複数のデバイスのアクティブなハンドインを支援するためのビーコンを生成するための、電気的コンポーネントを備え得る。電気的コンポーネント１２０４は、たとえば、説明されたように、マクロセルの周波数を通じてビーコンを送信することができる。加えて、論理的な集団１２０２は、ビーコン１２０８を送信するための出力を求めるための、電気的コンポーネントを任意選択で含み得る。これは、説明されたように、ＲＳＳＩまたは他の測定に基づき得る。たとえば、電気的コンポーネント１２０４は、上で説明されたように、通信コンポーネント２０６を含み得る。加えて、たとえば、電気的コンポーネント１２０６は、一態様では、上で説明されたように、ビーコン生成コンポーネント２１２を含み得る。さらに、説明されたように、電気的コンポーネント１２０８は、ビーコン出力決定コンポーネント２１６を含み得る。
【０１１９】
加えて、システム１２００は、電気的コンポーネント１２０４、１２０６、および１２０８と関連付けられる機能を実行するための命令を保持する、メモリ１２１０を含み得る。メモリ１２１０の外部にあるものとして示されているが、電気的コンポーネント１２０４、１２０６、および１２０８のうちの１つまたは複数は、メモリ１２１０の内部に存在していてよいことを理解されたい。一例では、電気的コンポーネント１２０４、１２０６、および１２０８は、少なくとも１つのプロセッサを備えてよく、または、各電気的コンポーネント１２０４、１２０６、および１２０８は、少なくとも１つのプロセッサの対応するモジュールであってよい。さらに、追加または代替の例では、電気的コンポーネント１２０４、１２０６、および１２０８は、コンピュータ可読媒体を備えるコンピュータプログラム製品であってよく、各電気的コンポーネント１２０４、１２０６、および１２０８は、対応するコードであってよい。
【０１２０】
図１３を参照すると、フェムトノードのビーコンから、報告された測定結果に関連するフェムトノードを決定するための、システム１３００が示される。たとえば、システム１３００は、少なくとも部分的に、ＲＮＣ、フェムトゲートウェイなどの中に存在し得る。システム１３００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム１３００は、連携して動作することができる電気的コンポーネントの論理的な集団１３０２を含む。たとえば、論理的な集団１３０２は、マクロセル動作周波数１３０４でビーコンをブロードキャストするためにフェムトノードによって利用されるＰＳＣを備える、ハンドオーバー要求メッセージを受信するための電気的コンポーネントを含み得る。一例では、システム１３００は、ＰＳＣを割り当てていてよく、かつ／またはそうでなければ、（たとえば、パイロット信号に対するＰＳＣ、位置などのような、１つまたは複数の他のパラメータとともに）フェムトノードに対するＰＳＣの関連付けを有してよい。
【０１２１】
さらに、論理的な集団１３０２は、ＰＳＣ  １３０６に一部基づいてフェムトノードを決定するための、電気的コンポーネントを備え得る。さらに、たとえば、電気的コンポーネント１３０４は、決定されたフェムトノードにハンドオーバー要求メッセージを送信することができる。たとえば、電気的コンポーネント１３０４は、上で説明されたように、通信コンポーネント４０６または５０６を含み得る。さらに、たとえば、電気的コンポーネント１３０６は、一態様では、上記で説明したように、フェムトノード曖昧性解消コンポーネント４１４または５１６を含み得る。
【０１２２】
加えて、システム１３００は、電気的コンポーネント１３０４および１３０６と関連付けられる機能を実行するための命令を保持する、メモリ１３０８を含み得る。メモリ１３０８の外部にあるものとして示されているが、電気的コンポーネント１３０４および１３０６のうちの１つまたは複数は、メモリ１３０８の内部に存在してよいことを理解されたい。一例では、電気的コンポーネント１３０４および１３０６は、少なくとも１つのプロセッサを備えてよく、または、各電気的コンポーネント１３０４および１３０６は、少なくとも１つのプロセッサの対応するモジュールであってよい。さらに、追加または代替の例では、電気的コンポーネント１３０４および１３０６は、コンピュータ可読媒体を備えるコンピュータプログラム製品であってよく、各電気的コンポーネント１３０４および１３０６は、対応するコードであってよい。
【０１２３】
図１４を参照すると、フェムトノードへの近接を示すための、システム１４００が示されている。たとえば、システム１４００は、少なくとも部分的に、デバイス内に存在し得る。システム１４００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム１４００は、連携して動作することができる電気的コンポーネントの論理的な集団１４０２を含む。たとえば、論理的な集団１４０２は、ＣＳＧの識別子１４０４を備えるビーコンをフェムトノードから受信するための、電気的コンポーネントを含み得る。一例では、ビーコンは、マクロセルの周波数を通じて受信され得る。論理的な集団１４０２はさらに、ＣＳＧの識別子１４０６に一部基づいてフェムトノードにおけるメンバーシップを判定するための、電気的コンポーネントを含み得る。たとえば、このことは、システム１４００がフェムトノードのメンバーであるかどうかを判定すること（たとえば、ＣＳＧがシステム１４００のホワイトリストの中にあるかどうか、フェムトノードがハイブリッドアクセスモードで動作しているかどうかなど）を含み得る。
【０１２４】
さらに、論理的な集団１４０２は、上記の判定することと、ビーコン１４０８の測定結果とに少なくとも一部基づいて、フェムトノードの近傍に入ったことをＲＮＣに示すための電気的コンポーネントを備え得る。この点について、マクロセルは、規定された時間間隔の間でのフェムトノードの測定を可能にするように、１つまたは複数の測定設定パラメータ（たとえば圧縮モードのパラメータ）を、デバイスに対してスケジューリングすることができる。加えて、電気的コンポーネント１４０４は、その後の期間にビーコンを測定することができ、電気的コンポーネント１４０６は、システム１４００がフェムトノードの近傍から去っていることを検出することができ（たとえば、ビーコンの信号品質が落ちていることに基づいて）、電気的コンポーネント１４０８は、マクロセル基地局に同様に通知することができる。たとえば、上で説明したように、電気的コンポーネント１４０４は通信コンポーネント３０６を含んでよく、電気的コンポーネント１４０６は近接判定コンポーネント３１８を含んでよい。加えて、たとえば、上で説明したように、電気的コンポーネント１４０８は、一態様では、パラメータ通信コンポーネント３１６を含み得る。
【０１２５】
さらに、システム１４００は、電気的コンポーネント１４０４、１４０６、および１４０８と関連付けられる機能を実行するための命令を保持する、メモリ１４１０を含み得る。メモリ１４１０の外部にあるものとして示されているが、電気的コンポーネント１４０４、１４０６、および１４０８のうちの１つまたは複数は、メモリ１４１０の内部に存在してよいことを理解されたい。一例では、電気的コンポーネント１４０４、１４０６、および１４０８は、少なくとも１つのプロセッサを備えてよく、または、各電気的コンポーネント１４０４、１４０６、および１４０８は、少なくとも１つのプロセッサの対応するモジュールであってよい。さらに、追加または代替の例では、電気的コンポーネント１４０４、１４０６、および１４０８は、コンピュータ可読媒体を備えるコンピュータプログラム製品であってよく、各電気的コンポーネント１４０４、１４０６、および１４０８は、対応するコードであってよい。
【０１２６】
図１５を参照すると、測定設定パラメータによってデバイスを設定するためのシステム１５００が示されている。たとえば、システム１５００は、少なくとも部分的に、ＲＮＣ内に存在し得る。システム１５００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム１５００は、連携して動作することができる電気的コンポーネントの論理的な集団１５０２を含む。たとえば、論理的な集団１５０２は、ＣＳＧの識別子と、デバイスがＣＳＧのメンバーであることの指示とを備える、測定結果報告をデバイスから受信するための電気的コンポーネント１５０４を含み得る。
【０１２７】
さらに、論理的な集団１５０２は、上記の指示に少なくとも一部基づいて、デバイスのための１つまたは複数の測定設定パラメータを設定するための、電気的コンポーネント１５０６を備え得る。たとえば、測定設定パラメータは、他のアクセスポイントを測定できる１つまたは複数の測定期間のような、圧縮モードのパラメータに対応し得る。加えて、電気的コンポーネント１５０４は、デバイスがフェムトノードの近傍から去っていることを示すものを取得することができ、またはそうでなければ、デバイスからのその後の測定結果報告に基づいてそのように判定することができ、電気的コンポーネント１５０６はそれに従って、圧縮モードのパラメータの設定を解除して、デバイスにおいてリソースを節減することができる。たとえば、電気的コンポーネント１５０４は、上で説明したように、近接受信コンポーネント４２０を含み得る。加えて、たとえば、上で説明したように、電気的コンポーネント１５０６は、一態様では、ハンドインコンポーネント４１６を含み得る。
【０１２８】
加えて、システム１５００は、電気的コンポーネント１５０４および１５０６と関連付けられる機能を実行するための命令を保持する、メモリ１５０８を含み得る。メモリ１５０８の外部にあるものとして示されているが、電気的コンポーネント１５０４および１５０６のうちの１つまたは複数は、メモリ１５０８の内部に存在し得ることを理解されたい。一例では、電気的コンポーネント１５０４および１５０６は、少なくとも１つのプロセッサを備えよく、または、各電気的コンポーネント１５０４および１５０６は、少なくとも１つのプロセッサの対応するモジュールであってよい。さらに、追加または代替の例では、電気的コンポーネント１５０４および１５０６は、コンピュータ可読媒体を備えるコンピュータプログラム製品であってよく、各電気的コンポーネント１５０４および１５０６は、対応するコードであってよい。
【０１２９】
次に図１６を参照すると、本明細書で提示される様々な実施形態によるワイヤレス通信システム１６００が示されている。システム１６００は、複数のアンテナグループを含み得る基地局１６０２を備える。たとえば、１つのアンテナグループはアンテナ１６０４と１６０６とを含んでよく、別のグループはアンテナ１６０８と１６１０とを備えてよく、さらなるグループはアンテナ１６１２と１６１４とを含んでよい。アンテナグループごとに２つのアンテナが示されているが、グループごとにより多いまたはより少ないアンテナが利用されてよい。基地局１６０２はさらに、送信機チェーンと受信機チェーンとを含んでよく、そして送信機チェーンおよび受信機チェーンの各々は、諒解されるように、信号の送信および受信に関連する複数のコンポーネント（たとえば、プロセッサ、変調器、マルチプレクサ、復調器、デマルチプレクサ、アンテナなど）を備え得る。
【０１３０】
基地局１６０２は、モバイルデバイス１６１６およびモバイルデバイス１６２２など１つまたは複数のモバイルデバイスと通信することができるが、基地局１６０２は、モバイルデバイス１６１６および１６２２と同様の実質的にいかなる数のモバイルデバイスとも通信できることを諒解されたい。モバイルデバイス１６１６および１６２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１６００を介して通信するための他の適切なデバイスであってよい。図示のように、モバイルデバイス１６１６は、アンテナ１６１２および１６１４と通信しており、アンテナ１６１２および１６１４は、順方向リンク１６１８を通じて情報をモバイルデバイス１６１６に送信し、逆方向リンク１６２０を通じてモバイルデバイス１６１６から情報を受信する。さらに、モバイルデバイス１６２２は、アンテナ１６０４および１６０６と通信しており、アンテナ１６０４および１６０６は、順方向リンク１６２４を介して情報をモバイルデバイス１６２２に送信し、逆方向リンク１６２６を介してモバイルデバイス１６２２から情報を受信する。周波数分割複信（ＦＤＤ）システムでは、たとえば、順方向リンク１６１８は、逆方向リンク１６２０によって使用される周波数帯とは異なる周波数帯を利用することができ、順方向リンク１６２４は、逆方向リンク１６２６によって使用される周波数帯とは異なる周波数帯を使用することができる。さらに、時分割複信（ＴＤＤ）システムでは、順方向リンク１６１８および逆方向リンク１６２０は共通の周波数帯を利用することができ、順方向リンク１６２４および逆方向リンク１６２６は共通の周波数帯を利用することができる。
【０１３１】
アンテナの各グループおよび／またはそれらが通信するように指定されたエリアは、基地局１６０２のセクタと呼ばれ得る。たとえば、アンテナグループは、基地局１６０２によってカバーされるエリアのセクタ中のモバイルデバイスと通信するように設計され得る。順方向リンク１６１８および１６２４を介した通信では、基地局１６０２の送信アンテナは、モバイルデバイス１６１６および１６２２の順方向リンク１６１８および１６２４の信号対雑音比を向上させるために、ビームフォーミングを利用することができる。さらに、基地局１６０２が、関連するカバレッジにわたって不規則に散在するモバイルデバイス１６１６および１６２２へ送信するためにビームフォーミングを利用する時は、基地局が単一のアンテナを介してその基地局のすべてのモバイルデバイスに送信する場合と比較して、隣接セル内のモバイルデバイスが干渉を受けにくくなり得る。さらに、モバイルデバイス１６１６および１６２２は、図示のようにピアツーピアまたはアドホック技術を使用して、互いに直接通信することができる。一例によれば、システム１６００は、多入力多出力（ＭＩＭＯ）通信システムであってよい。加えて、たとえば、基地局１６０２は、フェムトノード（図示せず）から受信されたビーコンに関連する測定結果報告を、デバイス１６１６および／または１６２２から受信することができ、フェムトノードへのハンドインを開始するためにフェムトノードの曖昧さを解消することができる。
【０１３２】
図１７は、例示的なワイヤレス通信システム１７００を示す。簡潔のために、ワイヤレス通信システム１７００には、１つの基地局１７１０と、１つのモバイルデバイス１７５０とを示す。ただし、システム１７００は、２つ以上の基地局および／または２つ以上のモバイルデバイスを含んでよく、追加の基地局および／またはモバイルデバイスは、以下で説明する例示的な基地局１７１０およびモバイルデバイス１７５０と実質的に同様であっても異なっていてもよいことを諒解されたい。加えて、基地局１７１０および／またはモバイルデバイス１７５０は、それらの間のワイヤレス通信を可能にするために、本明細書で説明されるシステム（図１〜図６および図１２〜図１６）および／または方法（図７〜図１１）を利用できることを諒解されたい。たとえば、本明細書で説明されるシステムのコンポーネントもしくは機能、および／または方法は、メモリ１７３２および／もしくは１７７２の一部、または以下で説明されるプロセッサ１７３０および／もしくは１７７０であってよく、かつ／あるいは、開示される機能を実行するために、プロセッサ１７３０および／または１７７０によって実行されてよい。
【０１３３】
基地局１７１０において、いくつかのデータストリームのトラフィックデータがデータソース１７１２から送信（ＴＸ）データプロセッサ１７１４に供給される。一例によれば、各データストリームは、それぞれのアンテナを介して送信され得る。ＴＸデータプロセッサ１７１４は、トラフィックデータストリーム用に選択された特定の符号化方式に基づいて、そのデータストリームをフォーマットし、符号化し、インタリーブして、符号化データを与える。
【０１３４】
各データストリームの符号化データは、直交周波数分割多重（ＯＦＤＭ）技法を使用してパイロットデータと多重化され得る。追加で、または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される知られているデータパターンであり、チャネル応答を推定するためにモバイルデバイス１７５０において使用され得る。各データストリームの多重化されたパイロットデータおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）されて、変調シンボルを与えることができる。各データストリームのデータレート、符号化、および変調は、プロセッサ１７３０によって実行または提供される命令によって決定され得る。
【０１３５】
データストリームの変調シンボルはＴＸ  ＭＩＭＯプロセッサ１７２０に与えられてよく、ＴＸ  ＭＩＭＯプロセッサ１７２０は、（たとえば、ＯＦＤＭ用に）変調シンボルをさらに処理することができる。次いで、ＴＸ  ＭＩＭＯプロセッサ１７２０はＮT個の変調シンボルストリームをＮT個の送信機（ＴＭＴＲ）１７２２ａ〜１７２２ｔに供給する。様々な実施形態では、ＴＸ  ＭＩＭＯプロセッサ１７２０は、データストリームのシンボルと、シンボルの送信元のアンテナとに、ビームフォーミング重みを適用する。
【０１３６】
各送信機１７２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを通じて送信するのに適した変調信号を供給する。さらに、送信機１７２２ａ〜１７２２ｔからのＮT個の被変調信号は、それぞれＮT個のアンテナ１７２４ａ〜１７２４ｔから送信される。
【０１３７】
モバイルデバイス１７５０において、送信された被変調信号はＮR個のアンテナ１７５２ａ〜１７５２ｒによって受信され、各アンテナ１７５２からの受信信号は、それぞれの受信機（ＲＣＶＲ）１７５４ａ〜１７５４ｒに供給される。各受信機１７５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【０１３８】
ＲＸデータプロセッサ１７６０は、特定の受信機処理技法に基づいてＮR個の受信機１７５４からＮR個の受信シンボルストリームを受信し、処理して、ＮT個の「検出」シンボルストリームを与えることができる。ＲＸデータプロセッサ１７６０は、各検出シンボルストリームを復調し、デインタリーブし、復号して、データストリームのトラフィックデータを復元することができる。ＲＸデータプロセッサ１７６０による処理は、基地局１７１０においてＴＸ  ＭＩＭＯプロセッサ１７２０およびＴＸデータプロセッサ１７１４によって実行される処理を補足するものである。
【０１３９】
逆方向リンクメッセージは、通信リンクおよび／または受信データストリームに関する様々なタイプの情報を備え得る。逆方向リンクメッセージは、データソース１７３６からいくつかのデータストリームのトラフィックデータも受信するＴＸデータプロセッサ１７３８によって処理され、変調器１７８０によって変調され、送信機１７５４ａ〜１７５４ｒによって調整され、基地局１７１０に戻され得る。
【０１４０】
基地局１７１０において、モバイルデバイス１７５０からの変調信号は、アンテナ１７２４によって受信され、受信機１７２２によって調整され、復調器１７４０によって復調され、ＲＸデータプロセッサ１７４２によって処理されて、モバイルデバイス１７５０によって送信された逆方向リンクメッセージが抽出される。さらに、プロセッサ１７３０は、抽出されたメッセージを処理して、ビームフォーミング重みを決定するためにどのプリコーディング行列を使用すべきかを、判定することができる。
【０１４１】
プロセッサ１７３０および１７７０は、それぞれ基地局１７１０およびモバイルデバイス１７５０における動作を指示（たとえば、制御、調整、管理など）することができる。それぞれのプロセッサ１７３０および１７７０は、プログラムコードとデータとを記憶するメモリ１７３２および１７７２と関連付けられ得る。プロセッサ１７３０および１７７０は、受信されたビーコンに関連するパラメータを報告し、ビーコンに関連するフェムトノードを決定し、フェムトノードへのハンドインを開始することなどができる。
【０１４２】
図１８は、本明細書の教示が実装され得る、何人かのユーザをサポートするように構成されたワイヤレス通信システム１８００を示す。システム１８００は、たとえば、マクロセル１８０２Ａ〜１８０２Ｇのような、複数のセル１８０２のための通信を実現し、各セルは、対応するアクセスノード１８０４（たとえば、アクセスノード１８０４Ａ〜１８０４Ｇ）によってサービスされる。図１８に示されるように、アクセス端末１８０６（たとえば、アクセス端末１８０６Ａ〜１８０６Ｌ）は、時間とともにシステム全体にわたって様々な場所に分散し得る。各アクセス端末１８０６は、たとえば、アクセス端末１８０６がアクティブかどうか、およびアクセス端末１８０６がソフトハンドオフ中かどうかに応じて、所与の瞬間に順方向リンク（ＦＬ）および／または逆方向リンク（ＲＬ）上で１つまたは複数のアクセスノード１８０４と通信することができる。ワイヤレス通信システム１８００は、広い地理的領域にわたってサービスを提供することができる。
【０１４３】
図１９は、１つまたは複数のフェムトノードがネットワーク環境内に展開された、例示的な通信システム１９００を示す。特に、システム１９００は、比較的小規模のネットワーク環境中に（たとえば、１つまたは複数のユーザの住居１９３０中に）設置された複数のフェムトノード１９１０Ａと１９１０Ｂと（たとえば、フェムトセルノードまたはＨ（ｅ）ＮＢ）を含む。各フェムトノード１９１０は、デジタル加入者回線（ＤＳＬ）ルータ、ケーブルモデム、ワイヤレスリンク、または他の接続手段（図示せず）を介して、ワイドエリアネットワーク１９４０（たとえば、インターネット）とモバイル事業者コアネットワーク１９５０とに結合され得る。以下で説明されるように、各フェムトノード１９１０は、関連するアクセス端末１９２０（たとえば、アクセス端末１９２０Ａ）と、任意選択で、外来アクセス端末１９２０（たとえば、アクセス端末１９２０Ｂ）とをサービスするように構成され得る。言い換えれば、フェムトノード１９１０へのアクセスは、所与のアクセス端末１９２０が、指定された（１つまたは複数の）（たとえば、ホーム）フェムトノード１９１０のセットによってサービスされ得るが、いかなる指定されていないフェムトノード１９１０（たとえば、近隣のフェムトノード）によってもサービスされ得ないように制限され得る。
【０１４４】
図２０は、いくつかのトラッキングエリア２００２（またはルーティングエリアまたはロケーションエリア）が定義されたカバレッジマップ２０００の例を示し、そのエリアの各々はいくつかのマクロカバレッジエリア２００４を含む。ここで、トラッキングエリア２００２Ａ、２００２Ｂ、および２００２Ｃに関連するカバレッジのエリアは太線によって示され、マクロカバレッジエリア２００４は六角形によって表される。トラッキングエリア２００２は、フェムトカバレッジエリア２００６をも含む。この例では、フェムトカバレッジエリア２００６（たとえば、フェムトカバレッジエリア２００６Ｃ）の各々は、マクロカバレッジエリア２００４（たとえば、マクロカバレッジエリア２００４Ｂ）内に示される。ただし、フェムトカバレッジエリア２００６は、完全にマクロカバレッジエリア２００４内にあるとは限らないことを諒解されたい。実際には、多数のフェムトカバレッジエリア２００６が所与のトラッキングエリア２００２またはマクロカバレッジエリア２００４によって定義され得る。また、１つまたは複数のピコカバレッジエリア（図示せず）が、所与のトラッキングエリア２００２またはマクロカバレッジエリア２００４内で定義され得る。
【０１４５】
再び図１９を参照すると、フェムトノード１９１０の所有者は、たとえば、３Ｇモバイルサービスのような、モバイル事業者コアネットワーク１９５０を介して提供されるモバイルサービスに加入することができる。さらに、アクセス端末１９２０は、マクロ環境と、より小規模の（たとえば、宅内）ネットワーク環境の両方で動作することが可能であり得る。したがって、たとえば、アクセス端末１９２０の現在の場所に応じて、アクセス端末１９２０は、アクセスノード１９６０によって、または、フェムトノード１９１０のセットのうちのいずれか１つ（たとえば、対応するユーザ住居１９３０内に存在するフェムトノード１９１０Ａおよび１９１０Ｂ）によってサービスされ得る。たとえば、加入者は、自宅の外にいるときは標準のマクロセルアクセスノード（たとえば、ノード１９６０）によってサービスされ、自宅にいるときはフェムトノード（たとえば、ノード１９１０Ａ）によってサービスされる。ここで、フェムトノード１９１０は既存のアクセス端末１９２０と後方互換性があり得ることを諒解されたい。
【０１４６】
フェムトノード１９１０は、単一の周波数上で展開され、または代替として、複数の周波数上で展開され得る。具体的な構成に応じて、単一の周波数、または、複数の周波数のうちの１つまたは複数は、マクロセルアクセスノード（たとえば、ノード１９６０）によって使用される１つまたは複数の周波数と重複することがある。いくつかの態様では、アクセス端末１９２０は、そのような接続が可能であるときはいつでも、好ましいフェムトノード（たとえば、アクセス端末１９２０のホームフェムトノード）に接続するように構成され得る。たとえば、アクセス端末１９２０は、ユーザの住居１９３０内にあるときはいつでも、ホームフェムトノード１９１０と通信することができる。
【０１４７】
いくつかの態様では、アクセス端末１９２０がモバイル事業者コアネットワーク１９５０内で動作しているが、（たとえば、好適なローミングリスト中で定義された）その最も好適なネットワーク上には存在していない場合、アクセス端末１９２０は、ベターシステムリセレクション（ＢＳＲ：Better System Reselection）を使用して、最も好適なネットワーク（たとえば、フェムトノード１９１０）を探索し続けることができ、ベターシステムリセレクションでは、利用可能なシステムの定期的なスキャンを行って、より良好なシステムが現在利用可能であるかどうかを判定し、その後、そのような好適なシステムと接続しようとすることができる。一例では、アクセス端末１９２０は、（たとえば、好適なローミングリスト中の）収集テーブルエントリを使用して、特定の帯域およびチャネルについて探索を制限することができる。たとえば、最も好適なシステムの探索は、定期的に繰り返され得る。フェムトノード１９１０のような好適なフェムトノードが発見されると、アクセス端末１９２０は、そのカバレッジエリア内に留まるためのフェムトノード１９１０を選択する。
【０１４８】
いくつかの態様では、フェムトノードは制限され得る。たとえば、所与のフェムトノードが、いくつかのサービスをいくつかのアクセス端末のみに提供し得る。いわゆる制限（または限定）された接続を用いた展開では、所与のアクセス端末が、マクロセルモバイルネットワークと、フェムトノードの定義されたセット（たとえば、対応するユーザ住居１９３０内に存在するフェムトノード１９１０）とによってのみ、サービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【０１４９】
いくつかの態様では、（限定加入者グループＨ（ｅ）ＮＢと呼ばれることもある）制限されたフェムトノードは、アクセス端末の制限されたプロビジョニングされたセットにサービスを提供するノードである。このセットは、必要に応じて一時的にまたは永続的に拡大され得る。いくつかの態様では、限定加入者グループ（ＣＳＧ）は、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【０１５０】
したがって、所与のフェムトノードと所与のアクセス端末との間に様々な関係が存在することがある。たとえば、アクセス端末の観点から、オープンフェムトノードが、制限された接続をもたないフェムトノードを指すことがある。制限されたフェムトノードは、何らかの形で制限された（たとえば、接続および／または登録について制限された）フェムトノードを指すことがある。ホームフェムトノードは、アクセス端末がアクセスしその上で動作することを許可される、フェムトノードを指し得る。ゲストフェムトノードは、アクセス端末がアクセスするかまたはその上で動作することを一時的に許可される、フェムトノードを指し得る。外来フェムトノードは、おそらく非常事態（たとえば、９１１番）を除いて、アクセス端末がアクセスまたはその上で動作することを許可されない、フェムトノードを指し得る。
【０１５１】
制限フェムトノードの観点から、ホームアクセス端末は、制限されたフェムトノードへのアクセスを許可されるアクセス端末を指し得る。ゲストアクセス端末は、制限されたフェムトノードへの一時的なアクセス権をもつアクセス端末を指し得る。外来アクセス端末は、おそらく非常事態、たとえば、９１１番を除いて、制限されたフェムトノードにアクセスする許可を有さないアクセス端末（たとえば、制限されたフェムトノードに登録するための証明書または許可を有さないアクセス端末）を指し得る。
【０１５２】
便宜上、本明細書の開示では、フェムトノードの文脈で様々な機能を説明する。ただし、ピコノードは、フェムトノードと同じまたは同様の機能をより大きいカバレッジエリアに提供できることを諒解されたい。たとえば、所与のアクセス端末に対して、ピコノードを制限すること、ホームピコノードを定義することなどが行われ得る。
【０１５３】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力システム、ＭＩＭＯシステム、または何らかの他のタイプのシステムを介して確立され得る。
【０１５４】
本明細書で開示された実施形態に関して説明された様々な例示的な論理、論理ブロック、モジュール、コンポーネント、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェアコンポーネント、または、本明細書で説明した機能を実行するように設計されたそれらの任意の組合せを用いて、実装または実行され得る。汎用プロセッサはマイクロプロセッサであってよいが、代替として、プロセッサは、任意の従来のプロセッサ、コントローラ、マイクロコントローラ、または状態機械であってよい。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。加えて、少なくとも１つのプロセッサは、上述のステップおよび／または動作の１つまたは複数を実行するように動作可能な、１つまたは複数のモジュールを備え得る。例示的な記憶媒体は、プロセッサが記憶媒体から情報を読み取り、記憶媒体に情報を書き込むことができるように、プロセッサに結合され得る。代替として、記憶媒体はプロセッサと一体であってよい。さらに、いくつかの態様では、プロセッサおよび記憶媒体はＡＳＩＣ中に存在してよい。加えて、ＡＳＩＣはユーザ端末中に存在してよい。代替として、プロセッサおよび記憶媒体は、ユーザ端末内に個別のコンポーネントとして存在してよい。
【０１５５】
１つまたは複数の態様では、説明された機能、方法またはアルゴリズムは、ハードウェア、ソフトウェア、ファームウェア、またはそれらの任意の組合せで実装され得る。ソフトウェアで実装される場合、機能は、コンピュータプログラム製品に組み込まれ得るコンピュータ可読媒体上の１つまたは複数の命令またはコードとして、記憶または送信され得る。コンピュータ可読媒体は、ある場所から別の場所へのコンピュータプログラムの転送を支援する任意の媒体を含む、コンピュータ記憶媒体とコンピュータ通信媒体の両方を含む。記憶媒体は、コンピュータによってアクセスできる任意の利用可能な媒体であってよい。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または、命令もしくはデータ構造の形態の所望のプログラムコードを搬送または記憶するために使用されコンピュータによってアクセスされ得る、任意の他の媒体を備え得る。また、実質的にいかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せも、コンピュータ可読媒体の範囲内に含めるべきである。
【０１５６】
上記の開示は、例示的な態様および／または実施形態について論じたが、添付の特許請求の範囲によって定義されるような、記述される態様および／または実施形態の範囲から逸脱することなく、様々な変更および改変を本明細書で行えることに留意されたい。さらに、記述される態様および／または実施形態の要素は、単数形で説明または請求されていることがあるが、単数形に限定することが明示的に述べられていない限り、複数形が企図される。加えて、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［Ｃ１］
アクティブなハンドインのためのビーコンを通信するための方法であって、
フェムトノード動作周波数を通じてパイロット信号を送信することと、
１つまたは複数のマクロセル基地局と通信する１つまたは複数のデバイスのアクティブなハンドインを支援するために、ビーコンを生成することと、
前記フェムトノード動作周波数とは異なる前記１つまたは複数のマクロセル基地局のマクロセル動作周波数を通じて、前記ビーコンをブロードキャストすることと
を備える、方法。
［Ｃ２］
前記ビーコンに少なくとも一部基づいて、前記１つまたは複数のデバイスの前記アクティブなハンドインに関連する１つまたは複数のメッセージを、前記１つまたは複数のマクロセル基地局から受信することをさらに備える、請求項１に記載の方法。
［Ｃ３］
前記１つまたは複数のデバイスのための前記アクティブなハンドインを実行するための、ハンドオーバー命令を送信することをさらに備える、請求項２に記載の方法。
［Ｃ４］
前記１つまたは複数のデバイスによってターゲットフェムトノードについて報告された、受信されたタイミング測定結果または受信されたオフセットを、タイミング測定結果またはオフセットと比較することに少なくとも一部基づいて、前記ハンドオーバー命令を送信すると決定することをさらに備える、請求項３に記載の方法。
［Ｃ５］
前記マクロセル動作周波数上での受信信号強度インジケータ（ＲＳＳＩ）を閾値と比較して、１つまたは複数のデバイスの存在を判定することと、
前記ＲＳＳＩが少なくとも前記閾値にある場合に、前記ハンドオーバー命令を送信すると決定することとをさらに備える、請求項３に記載の方法。
［Ｃ６］
前記ビーコンを前記ブロードキャストすることが、パイロットチャネル、同期チャネル、またはシステム情報のための共通制御チャネルを、前記マクロセル動作周波数を通じてブロードキャストすることを備える、請求項１に記載の方法。
［Ｃ７］
前記ビーコンがフェムトノードの識別情報を備える、請求項１に記載の方法。
［Ｃ８］
前記フェムトノードの前記識別情報が、限定加入者グループ（ＣＳＧ）の識別情報、セルの識別情報、またはプライマリスクランブリングコード（ＰＳＣ）に相当する、請求項７に記載の方法。
［Ｃ９］
フェムトゲートウェイから前記ＰＳＣを受信することをさらに備える、請求項８に記載の方法。
［Ｃ１０］
前記フェムトノードの前記識別情報が、チップレベルのタイミング、フレームのタイミング、または、前記１つもしくは複数のマクロセル基地局に対する別の観測されたタイミングに相当する、請求項７に記載の方法。
［Ｃ１１］
前記ビーコンを送信するための出力を決定することをさらに備える、請求項１に記載の方法。
［Ｃ１２］
前記マクロセル動作周波数上での受信信号強度インジケータ（ＲＳＳＩ）を求めることをさらに備え、前記出力を前記決定することが、前記ＲＳＳＩに少なくとも一部基づく、請求項１１に記載の方法。
［Ｃ１３］
前記出力を前記決定することが、前記ＲＳＳＩが閾値レベルを超えたと判定されたことに少なくとも一部基づいて、前記出力を設定することを備える、請求項１２に記載の方法。
［Ｃ１４］
前記出力を前記決定することがさらに、前記ＲＳＳＩの上昇を検出した後の閾値の時間内に接続を試みるデバイスがないと判定することを備える、請求項１２に記載の方法。
［Ｃ１５］
前記出力を前記決定することがさらに、前記マクロセル動作周波数を通じて受信された信号の種類に少なくとも一部基づく、請求項１２に記載の方法。
［Ｃ１６］
前記ビーコンを送信するための前記出力を前記決定することが、前記ビーコンの最大送信出力に少なくとも一部基づく、請求項１１に記載の方法。
［Ｃ１７］
前記１つまたは複数のマクロセル基地局の信号強度、または、所望の距離もしくは所望の経路損失における前記ビーコンの所望の信号強度を求めたことに少なくとも一部基づいて、前記ビーコンの前記最大送信出力を決定することをさらに備える、請求項１６に記載の方法。
［Ｃ１８］
第２のマクロセル動作周波数上での第２のＲＳＳＩを求めることをさらに備え、前記出力を前記決定することが、前記ＲＳＳＩと前記第２のＲＳＳＩとの関係に少なくとも一部基づく、請求項１１に記載の方法。
［Ｃ１９］
前記マクロセル動作周波数上での、受信信号強度インジケータ（ＲＳＳＩ）またはＲＳＳＩの変化を求めたことに少なくとも一部基づいて、前記ビーコンのブロードキャストを決定することをさらに備える、請求項１に記載の方法。
［Ｃ２０］
前記マクロセル動作周波数上での、別のＲＳＳＩまたは前記別のＲＳＳＩの別の変化を求めたことに少なくとも一部基づいて、前記ビーコンのブロードキャストの停止を決定することをさらに備える、請求項１９に記載の方法。
［Ｃ２１］
前記マクロセル動作周波数および前記フェムトノード動作周波数とは異なる、第２のマクロセル動作周波数で、第２のビーコンをブロードキャストすることをさらに備える、請求項１に記載の方法。
［Ｃ２２］
前記第２のビーコンを前記ブロードキャストすることが、前記第２のビーコンを送信するための期間にわたって周波数をホッピングさせることを備える、請求項２１に記載の方法。
［Ｃ２３］
アクティブなハンドインのためのビーコンを通信するための装置であって、
フェムトノード動作周波数を通じてパイロット信号を送信し、
１つまたは複数のマクロセル基地局と通信する１つまたは複数のデバイスのアクティブなハンドインを支援するために、ビーコンを生成し、
前記フェムトノード動作周波数とは異なる前記１つまたは複数のマクロセル基地局のマクロセル動作周波数を通じて、前記ビーコンをブロードキャストするように構成される、少なくとも１つのプロセッサと、
前記少なくとも１つのプロセッサに結合されたメモリと
を備える、装置。
［Ｃ２４］
前記少なくとも１つのプロセッサがさらに、前記ビーコンに少なくとも一部基づいて、前記１つまたは複数のデバイスの前記アクティブなハンドインに関連する１つまたは複数のメッセージを、前記１つまたは複数のマクロセル基地局から受信するように構成される、請求項２３に記載の装置。
［Ｃ２５］
前記少なくとも１つのプロセッサが、パイロットチャネル、同期チャネル、またはシステム情報のための共通制御チャネルを、前記ビーコンの中で、前記マクロセル動作周波数を通じてブロードキャストする、請求項２３に記載の装置。
［Ｃ２６］
前記少なくとも１つのプロセッサがさらに、前記ビーコンを送信するための出力を決定するように構成される、請求項２３に記載の装置。
［Ｃ２７］
前記少なくとも１つのプロセッサが、前記マクロセル動作周波数上での受信信号強度インジケータ（ＲＳＳＩ）を求めることによって少なくとも一部、前記出力を決定する、請求項２６に記載の装置。
［Ｃ２８］
アクティブなハンドインのためのビーコンを通信するための装置であって、
フェムトノード動作周波数を通じてパイロット信号を送信するための手段と、
１つまたは複数のマクロセル基地局と通信する１つまたは複数のデバイスのアクティブなハンドインを支援するためのビーコンを生成するための手段と
を備え、送信するための前記手段が、前記フェムトノード動作周波数と異なる前記１つまたは複数のマクロセル基地局のマクロセル動作周波数を通じて、前記ビーコンをブロードキャストする、装置。
［Ｃ２９］
前記ビーコンに少なくとも一部基づいて、前記１つまたは複数のデバイスの前記アクティブなハンドインに関連する１つまたは複数のメッセージを、前記１つまたは複数のマクロセル基地局から受信するための手段をさらに備える、請求項２８に記載の装置。
［Ｃ３０］
前記ビーコンを生成するための前記手段が、前記マクロセル動作周波数を通じた、パイロットチャネル、同期チャネル、またはシステム情報のための共通制御チャネルを備えるように、前記ビーコンを生成する、請求項２８に記載の装置。
［Ｃ３１］
前記ビーコンを送信するための出力を決定するための手段をさらに備える、請求項２８に記載の装置。
［Ｃ３２］
前記ビーコンを送信するための前記出力を決定するための前記手段が、前記マクロセル動作周波数上での受信信号強度インジケータ（ＲＳＳＩ）を求めることに少なくとも一部基づいて、前記出力を決定する、請求項３１に記載の装置。
［Ｃ３３］
少なくとも１つのコンピュータに、フェムトノード動作周波数を通じてパイロット信号を送信させるためのコードと、
前記少なくとも１つのコンピュータに、１つまたは複数のマクロセル基地局と通信する１つまたは複数のデバイスのアクティブなハンドインを支援するためにビーコンを生成させるためのコードと、
前記少なくとも１つのコンピュータに、前記フェムトノード動作周波数とは異なる前記１つまたは複数のマクロセル基地局のマクロセル動作周波数を通じて、前記ビーコンをブロードキャストさせるためのコードと
を備えるコンピュータ可読媒体を備える、アクティブなハンドインのためのビーコンを通信するためのコンピュータプログラム製品。
［Ｃ３４］
前記コンピュータ可読媒体がさらに、前記少なくとも１つのコンピュータに、前記ビーコンに少なくとも一部基づいて、前記１つまたは複数のデバイスの前記アクティブなハンドインに関連する１つまたは複数のメッセージを、前記１つまたは複数のマクロセル基地局から受信させるためのコードを備える、請求項３３に記載のコンピュータプログラム製品。
［Ｃ３５］
前記少なくとも１つのコンピュータにブロードキャストさせるための前記コードが、パイロットチャネル、同期チャネル、またはシステム情報のための共通制御チャネルを、前記ビーコンの中で、前記マクロセル動作周波数を通じてブロードキャストする、請求項３３に記載のコンピュータプログラム製品。
［Ｃ３６］
前記コンピュータ可読媒体がさらに、前記少なくとも１つのコンピュータに、前記ビーコンを送信するための出力を決定させるためのコードを備える、請求項３３に記載のコンピュータプログラム製品。
［Ｃ３７］
前記少なくとも１つのコンピュータに前記出力を決定させるための前記コードが、前記マクロセル動作周波数上での受信信号強度インジケータ（ＲＳＳＩ）を求めることによって少なくとも一部、前記出力を決定する、請求項３６に記載のコンピュータプログラム製品。
［Ｃ３８］
アクティブなハンドインのためのビーコンを通信するための装置であって、
フェムトノード動作周波数を通じてパイロット信号を送信するための通信コンポーネントと、
１つまたは複数のマクロセル基地局と通信する１つまたは複数のデバイスのアクティブなハンドインを支援するためのビーコンを生成するためのビーコン生成コンポーネントと
を備え、前記通信コンポーネントが、前記フェムトノード動作周波数と異なる前記１つまたは複数のマクロセル基地局のマクロセル動作周波数を通じて、前記ビーコンをブロードキャストする、装置。
［Ｃ３９］
前記ビーコンに少なくとも一部基づいて、前記１つまたは複数のデバイスの前記アクティブなハンドインに関連する１つまたは複数のメッセージを、前記１つまたは複数のマクロセル基地局から受信するためのハンドオーバー管理コンポーネントをさらに備える、請求項３８に記載の装置。
［Ｃ４０］
前記ハンドオーバー管理コンポーネントが、前記１つまたは複数のデバイスのための前記アクティブなハンドインを実行するためのハンドオーバー命令を送信する、請求項３９に記載の装置。
［Ｃ４１］
前記ハンドオーバー管理コンポーネントが、前記１つまたは複数のデバイスによってターゲットフェムトノードについて報告された、受信されたタイミング測定結果または受信されたオフセットを、タイミング測定結果またはオフセットと比較することに少なくとも一部基づいて、前記ハンドオーバー命令を送信すると決定する、請求項４０に記載の装置。
［Ｃ４２］
前記ハンドオーバー管理コンポーネントが、前記マクロセル動作周波数上での受信信号強度インジケータ（ＲＳＳＩ）を閾値と比較して、１つまたは複数のデバイスの存在を判定し、前記ＲＳＳＩが少なくとも前記閾値である場合に、前記ハンドオーバー命令を送信すると決定する、請求項４０に記載の装置。
［Ｃ４３］
前記ビーコン生成コンポーネントが、前記マクロセル動作周波数を通じた、パイロットチャネル、同期チャネル、またはシステム情報のための共通制御チャネルを備えるように、前記ビーコンを生成する、請求項３８に記載の装置。
［Ｃ４４］
前記ビーコンがフェムトノードの識別情報を備える、請求項４３に記載の装置。
［Ｃ４５］
前記フェムトノードの前記識別情報が、限定加入者グループ（ＣＳＧ）の識別情報、セルの識別情報、またはプライマリスクランブリングコード（ＰＳＣ）に相当する、請求項４４に記載の装置。
［Ｃ４６］
前記ビーコン生成コンポーネントが、フェムトゲートウェイから前記ＰＳＣを受信する、請求項４５に記載の装置。
［Ｃ４７］
前記フェムトノードの前記識別情報が、チップレベルのタイミング、フレームのタイミング、または、前記１つもしくは複数のマクロセル基地局に対する別の観測されたタイミングに相当する、請求項４４に記載の装置。
［Ｃ４８］
前記ビーコンを送信するための出力を決定するためのビーコン出力決定コンポーネントをさらに備える、請求項３８に記載の装置。
［Ｃ４９］
前記ビーコン出力決定コンポーネントが、前記マクロセル動作周波数上での受信信号強度インジケータ（ＲＳＳＩ）を求めたことに少なくとも一部基づいて、前記出力を決定する、請求項４８に記載の装置。
［Ｃ５０］
前記ビーコン出力決定コンポーネントが、前記ＲＳＳＩが閾値レベルを超えたと判定されたことに少なくとも一部基づいて、前記出力を下げる、請求項４９に記載の装置。
［Ｃ５１］
前記ビーコン出力決定コンポーネントが、前記ＲＳＳＩの上昇を検出した後の閾値の時間内に接続を試みるデバイスがないと判定すると、前記出力を下げる、請求項４９に記載の装置。
［Ｃ５２］
前記ビーコン出力決定コンポーネントが、前記マクロセル動作周波数を通じて受信された信号の種類にさらに少なくとも一部基づいて、前記出力を決定する、請求項４９に記載の装置。
［Ｃ５３］
前記ビーコン出力決定コンポーネントが、前記ビーコンの最大送信出力に少なくとも一部基づいて前記ビーコンを送信するための前記出力を決定する、請求項４８に記載の装置。
［Ｃ５４］
前記ビーコン出力決定コンポーネントが、前記１つもしくは複数のマクロセル基地局の信号強度、または、所望の距離もしくは所望の経路損失における前記ビーコンの所望の信号強度を求めたことに少なくとも一部基づいて、前記ビーコンの前記最大送信出力を決定する、請求項５３に記載の装置。
［Ｃ５５］
前記ビーコン出力決定コンポーネントが、第２のマクロセル動作周波数上での第２のＲＳＳＩを求め、前記ＲＳＳＩと前記第２のＲＳＳＩとの関係に少なくとも一部基づいて前記出力を決定する、請求項４８に記載の装置。
［Ｃ５６］
前記ビーコン生成コンポーネントが、前記マクロセル動作周波数上での、受信信号強度インジケータ（ＲＳＳＩ）またはＲＳＳＩの変化を求めたことに少なくとも一部基づいて、前記ビーコンをブロードキャストすると決定する、請求項３８に記載の装置。
［Ｃ５７］
前記ビーコン生成コンポーネントが、前記マクロセル動作周波数上での、別のＲＳＳＩまたは前記別のＲＳＳＩの別の変化を求めたことに少なくとも一部基づいて、前記ビーコンのブロードキャストを停止すると決定する、請求項５６に記載の装置。
［Ｃ５８］
前記ビーコン生成コンポーネントが、前記マクロセル動作周波数および前記フェムトノード動作周波数とは異なる、第２のマクロセル動作周波数でブロードキャストするための、第２のビーコンを生成する、請求項３８に記載の装置。
［Ｃ５９］
前記ビーコン生成コンポーネントが、前記第２のビーコンを生成して、前記第２のビーコンを送信するための期間にわたって周波数をホッピングさせる、請求項５８に記載の装置。
［Ｃ６０］
ハンドオーバー要求においてフェムトノードを特定するための方法であって、
マクロセル動作周波数でビーコンをブロードキャストするためにフェムトノードによって利用されるプライマリスクランブリングコード（ＰＳＣ）を備える、ハンドオーバー要求メッセージを受信することと、
前記ＰＳＣに一部基づいて、前記フェムトノードを決定することと、
前記ハンドオーバー要求メッセージを前記フェムトノードに伝えることと
を備える、方法。
［Ｃ６１］
前記フェムトノードに関連する１つまたは複数の追加のパラメータを、デバイスから受信することをさらに備え、前記フェムトノードを前記決定することが、前記１つまたは複数の追加のパラメータにさらに一部基づく、請求項６０に記載の方法。
［Ｃ６２］
前記１つまたは複数の追加のパラメータを測定結果報告によって報告するように前記デバイスを構成することをさらに備える、請求項６１に記載の方法。
［Ｃ６３］
前記１つまたは複数の追加のパラメータが、フェムトノード動作周波数を通じてパイロット信号を送信するために前記フェムトノードによって使用されるパイロットＰＳＣ、前記フェムトノードにおけるシステムフレーム番号、または、前記フェムトノードによってサポートされる限定加入者グループ（ＣＳＧ）を備える、請求項６１に記載の方法。
［Ｃ６４］
前記フェムトノードを前記決定することが、複数のフェムトノードを決定することを備え、前記ハンドオーバー要求メッセージを前記伝えることが、前記ハンドオーバー要求メッセージを前記複数のフェムトノードに伝えることを備える、請求項６０に記載の方法。
［Ｃ６５］
前記ハンドオーバー要求メッセージに応答して、前記複数のフェムトノードの少なくとも１つから、少なくとも１つの拒絶メッセージを受信することをさらに備える、請求項６４に記載の方法。
［Ｃ６６］
ハンドオーバー要求においてフェムトノードを特定するための装置であって、
マクロセル動作周波数でビーコンをブロードキャストするためにフェムトノードによって利用されるプライマリスクランブリングコード（ＰＳＣ）を備える、ハンドオーバー要求メッセージを受信し、
前記ＰＳＣに一部基づいて、前記フェムトノードを決定し、
前記ハンドオーバー要求メッセージを前記フェムトノードに伝えるように構成される、少なくとも１つのプロセッサと、
前記少なくとも１つのプロセッサに結合されたメモリと
を備える、装置。
［Ｃ６７］
前記少なくとも１つのプロセッサがさらに、前記フェムトノードに関連する１つまたは複数の追加のパラメータを受信するように構成され、前記少なくとも１つのプロセッサが、前記１つまたは複数の追加のパラメータにさらに一部基づいて前記フェムトノードを決定する、請求項６６に記載の装置。
［Ｃ６８］
前記少なくとも１つのプロセッサが、複数のフェムトノードを決定し、前記ハンドオーバー要求メッセージを前記複数のフェムトノードに伝える、請求項６６に記載の装置。
［Ｃ６９］
ハンドオーバー要求においてフェムトノードを特定するための装置であって、
マクロセル動作周波数でビーコンをブロードキャストするためにフェムトノードによって利用されるプライマリスクランブリングコード（ＰＳＣ）を備える、ハンドオーバー要求メッセージを受信するための手段と、
前記ＰＳＣに一部基づいて前記フェムトノードを決定するための手段と
を備え、前記ハンドオーバー要求メッセージを受信するための前記手段が、前記ハンドオーバー要求メッセージを前記フェムトノードに伝える、装置。
［Ｃ７０］
前記フェムトノードに関連する１つまたは複数の追加のパラメータを受信するための手段をさらに備え、決定するための前記手段が、前記１つまたは複数の追加のパラメータにさらに一部基づいて前記フェムトノードを決定する、請求項６９に記載の装置。
［Ｃ７１］
前記フェムトノードを決定するための前記手段が、複数のフェムトノードを決定し、受信するための前記手段が、前記ハンドオーバー要求メッセージを前記複数のフェムトノードに伝える、請求項６９に記載の装置。
［Ｃ７２］
マクロセル動作周波数でビーコンをブロードキャストするためにフェムトノードによって利用されるプライマリスクランブリングコード（ＰＳＣ）を備える、ハンドオーバー要求メッセージを、少なくとも１つのコンピュータに受信させるためのコードと、
前記少なくとも１つのコンピュータに、前記ＰＳＣに一部基づいて前記フェムトノードを決定させるためのコードと、
前記少なくとも１つのコンピュータに、前記ハンドオーバー要求メッセージを前記フェムトノードへ伝えさせるためのコードと
を備えるコンピュータ可読媒体を備える、ハンドオーバー要求においてフェムトノードを特定するためのコンピュータプログラム製品。
［Ｃ７３］
前記コンピュータ可読媒体がさらに、前記少なくとも１つのコンピュータに、前記フェムトノードと関連する１つまたは複数の追加のパラメータを受信させるためのコードを備え、前記少なくとも１つのコンピュータに決定させるための前記コードが、前記１つまたは複数の追加のパラメータにさらに一部基づいて前記フェムトノードを決定する、請求項７２に記載のコンピュータプログラム製品。
［Ｃ７４］
前記少なくとも１つのコンピュータに決定させるための前記コードが、複数のフェムトノードを決定し、前記少なくとも１つのコンピュータに伝えさせるための前記コードが、前記ハンドオーバー要求メッセージを前記複数のフェムトノードに伝える、請求項７２に記載のコンピュータプログラム製品。
［Ｃ７５］
ハンドオーバー要求においてフェムトノードを特定するための装置であって、
マクロセル動作周波数でビーコンをブロードキャストするためにフェムトノードによって利用されるプライマリスクランブリングコード（ＰＳＣ）を備える、ハンドオーバー要求メッセージを受信するためのハンドインコンポーネントと、
前記ＰＳＣに一部基づいて前記フェムトノードを決定するためのフェムトノード曖昧性解消コンポーネントと
を備え、前記ハンドインコンポーネントが、前記ハンドオーバー要求メッセージを前記フェムトノードに伝える、装置。
［Ｃ７６］
前記フェムトノードに関連する１つまたは複数の追加のパラメータをデバイスから受信するためのパラメータ通信コンポーネントをさらに備え、前記フェムトノード曖昧性解消コンポーネントが、前記１つまたは複数の追加のパラメータにさらに一部基づいて前記フェムトノードを決定する、請求項７５に記載の装置。
［Ｃ７７］
前記パラメータ通信コンポーネントが、前記１つまたは複数の追加のパラメータを測定結果報告によって報告するように前記デバイスを構成する、請求項７６に記載の装置。
［Ｃ７８］
前記１つまたは複数の追加のパラメータが、フェムトノード動作周波数を通じてパイロット信号を送信するために前記フェムトノードによって使用されるパイロットＰＳＣ、前記フェムトノードにおけるシステムフレーム番号、または、前記フェムトノードによってサポートされる限定加入者グループ（ＣＳＧ）を備える、請求項７６に記載の装置。
［Ｃ７９］
前記フェムトノード曖昧性解消コンポーネントが、複数のフェムトノードを決定し、前記ハンドインコンポーネントが、前記ハンドオーバー要求メッセージを前記複数のフェムトノードに伝える、請求項７５に記載の装置。
［Ｃ８０］
前記ハンドインコンポーネントが、前記ハンドオーバー要求メッセージに応答して、前記複数のフェムトノードの少なくとも１つから、少なくとも１つの拒絶メッセージを受信する、請求項７９に記載の装置。
［Ｃ８１］
フェムトノードへの近接を示すための方法であって、
限定加入者グループ（ＣＳＧ）の識別子を備えるビーコンを、デバイスにおいてフェムトノードから受信することと、
前記デバイスが前記フェムトノードのメンバーであるかどうかを、前記ＣＳＧの識別子に一部基づいて判定することと、
前記判定することと、前記ビーコンの測定結果とに少なくとも一部基づいて、前記フェムトノードの近傍に入ったことを無線ネットワークコントローラ（ＲＮＣ）に示すことと
を備える、方法。
［Ｃ８２］
前記ビーコンの後続の測定を実行することと、
前記後続の測定が閾値の信号品質を下回っていると判定することと、
前記後続の測定が前記閾値の信号品質を下回っていると前記判定したことに基づいて、前記フェムトノードの前記近傍から出たことを前記ＲＮＣに示すこととをさらに備える、請求項８１に記載の方法。
［Ｃ８３］
前記示すことが、前記近接と前記ビーコンの前記測定結果とに対応するシステム情報要素を含む、測定結果報告を、前記ＲＮＣに送信することを備える、請求項８１に記載の方法。
［Ｃ８４］
近接表示のための装置であって、
限定加入者グループ（ＣＳＧ）の識別子を備えるビーコンを、フェムトノードから受信し、
前記装置が前記フェムトノードのメンバーであるかどうかを、前記ＣＳＧの識別子に一部基づいて判定し、
前記判定することと、前記ビーコンの測定結果とに少なくとも一部基づいて、前記フェムトノードの近傍に入ったことを無線ネットワークコントローラ（ＲＮＣ）に示す
ように構成される少なくとも１つのプロセッサと、
前記少なくとも１つのプロセッサに結合されたメモリと
を備える、装置。
［Ｃ８５］
前記少なくとも１つのプロセッサがさらに、
前記ビーコンの後続の測定を実行し、
前記後続の測定が閾値の信号品質を下回っていると判定し、
前記後続の測定が前記閾値の信号品質を下回っていると前記判定したことに基づいて、前記フェムトノードの前記近傍から出たことを前記ＲＮＣに示すように構成される、請求項８４に記載の装置。
［Ｃ８６］
限定加入者グループ（ＣＳＧ）の識別子を備えるビーコンを、フェムトノードから受信するための手段と、
前記装置が前記フェムトノードのメンバーであるかどうかを、前記ＣＳＧの識別子に一部基づいて判定し、前記ビーコンの測定を実行するための手段と、
前記判定することと、前記ビーコンの前記測定結果とに少なくとも一部基づいて、前記フェムトノードの近傍に入ったことを無線ネットワークコントローラ（ＲＮＣ）に示すための手段と
を備える、近接表示のための装置。
［Ｃ８７］
判定するための前記手段が、前記ビーコンの後続の測定が閾値の信号品質を下回っていると判定し、示すための前記手段が、前記後続の測定が前記閾値の信号品質を下回っていると前記判定したことに基づいて、前記フェムトノードの前記近傍から出たことを前記ＲＮＣに示す、請求項８６に記載の装置。
［Ｃ８８］
少なくとも１つのコンピュータに、限定加入者グループ（ＣＳＧ）の識別子を備えるビーコンを、デバイスにおいてフェムトノードから受信させるためのコードと、
前記少なくとも１つのコンピュータに、前記デバイスが前記フェムトノードのメンバーであるかどうかを、前記ＣＳＧの識別子に一部基づいて判定させるためのコードと、
前記少なくとも１つのコンピュータに、前記判定することと、前記ビーコンの前記測定結果とに少なくとも一部基づいて、前記フェムトノードの近傍に入ったことを無線ネットワークコントローラ（ＲＮＣ）へ示させるためのコードと
を備えるコンピュータ可読媒体を備える、近接表示のためのコンピュータプログラム製品。
［Ｃ８９］
前記コンピュータ可読媒体がさらに、
前記少なくとも１つのコンピュータに、前記ビーコンの後続の測定を実行させるためのコードと、
前記少なくとも１つのコンピュータに、前記後続の測定が閾値の信号品質を下回っていると判定させるためのコードと、
前記少なくとも１つのコンピュータに、前記後続の測定が前記閾値の信号品質を下回っていると前記判定したことに基づいて、前記フェムトノードの前記近傍から出たことを前記ＲＮＣへ示させるためのコードと
を備える、請求項８８に記載のコンピュータプログラム製品。
［Ｃ９０］
限定加入者グループ（ＣＳＧ）の識別子を備えるビーコンを、フェムトノードから受信するための通信コンポーネントと、
前記装置が前記フェムトノードのメンバーであるかどうかを、前記ＣＳＧの識別子に一部基づいて判定し、前記ビーコンの測定を実行するための近接判定コンポーネントと、
前記判定することと、前記ビーコンの前記測定結果とに少なくとも一部基づいて、前記フェムトノードの近傍に入ったことを無線ネットワークコントローラ（ＲＮＣ）に示すためのパラメータ通信コンポーネントと
を備える、近接表示のための装置。
［Ｃ９１］
前記近接判定コンポーネントが、前記ビーコンの後続の測定が閾値の信号品質を下回っていると判定し、前記パラメータ通信コンポーネントが、前記後続の測定が前記閾値の信号品質を下回っていると前記判定したことに基づいて、前記フェムトノードの前記近傍から出たことを前記ＲＮＣに示す、請求項９０に記載の装置。
［Ｃ９２］
前記パラメータ通信コンポーネントが、前記近傍に対応するシステム情報要素を含む測定結果報告を前記ＲＮＣに送信することによって少なくとも一部、前記近傍に入ったことを示す、請求項９０に記載の装置。
［Ｃ９３］
限定加入者グループ（ＣＳＧ）の識別子と、前記デバイスが前記ＣＳＧのメンバーであるという指示とを備える測定結果報告を、デバイスから受信することと、
前記指示に少なくとも一部基づいて、前記デバイスのための１つまたは複数の測定設定パラメータを設定することと
を備える、デバイスのための別の周波数の測定を設定するための方法。
［Ｃ９４］
前記ＣＳＧの前記識別子を含まない第２の測定結果報告を、前記デバイスから受信することと、
前記デバイスのための前記１つまたは複数の測定設定パラメータの設定を解除することと
をさらに備える、請求項９３に記載の方法。
［Ｃ９５］
デバイスのための別の周波数の測定を設定するための装置であって、
限定加入者グループ（ＣＳＧ）の識別子と、前記デバイスが前記ＣＳＧのメンバーであるという指示とを備える測定結果報告を、デバイスから受信し、
前記指示に少なくとも一部基づいて、前記デバイスのための１つまたは複数の測定設定パラメータを設定するように構成された少なくとも１つのプロセッサと、
前記少なくとも１つのプロセッサに結合されたメモリと
を備える、装置。
［Ｃ９６］
前記少なくとも１つのプロセッサがさらに、
前記ＣＳＧの前記識別子を含まない第２の測定結果報告を、前記デバイスから受信し、
前記デバイスのための前記１つまたは複数の測定設定パラメータの設定を解除する
ように構成される、請求項９５に記載の装置。
［Ｃ９７］
限定加入者グループ（ＣＳＧ）の識別子と、前記デバイスが前記ＣＳＧのメンバーであるという指示とを備える測定結果報告を、デバイスから受信するための手段と、
前記指示に少なくとも一部基づいて、前記デバイスのための１つまたは複数の測定設定パラメータを設定するための手段と
を備える、デバイスのための別の周波数の測定を設定するための装置。
［Ｃ９８］
受信するための前記手段が、前記ＣＳＧの前記識別子を含まない第２の測定結果報告を、前記デバイスから受信し、設定するための前記手段が、前記デバイスのための前記１つまたは複数の測定設定パラメータの設定を解除する、請求項９７に記載の装置。
［Ｃ９９］
デバイスのための別の周波数の測定を設定するためのコンピュータプログラム製品であって、
少なくとも１つのコンピュータに、限定加入者グループ（ＣＳＧ）の識別子と、前記デバイスが前記ＣＳＧのメンバーであるという指示とを備える測定結果報告を、デバイスから受信させるためのコードと、
前記少なくとも１つのコンピュータに、前記指示に少なくとも一部基づいて、前記デバイスのための１つまたは複数の測定設定パラメータを設定させるためのコードと
を備えるコンピュータ可読媒体を備える、コンピュータプログラム製品。
［Ｃ１００］
前記コンピュータ可読媒体がさらに、
前記少なくとも１つのコンピュータに、前記ＣＳＧの前記識別子を含まない第２の測定結果報告を、前記デバイスから受信させるためのコードと、
前記少なくとも１つのコンピュータに、前記デバイスのための前記１つまたは複数の測定設定パラメータの設定を解除させるためのコードと
を備える、請求項９９に記載のコンピュータプログラム製品。
［Ｃ１０１］
限定加入者グループ（ＣＳＧ）の識別子と、前記デバイスが前記ＣＳＧのメンバーであるという指示とを備える測定結果報告を、デバイスから受信するための近接受信コンポーネントと、
前記指示に少なくとも一部基づいて、前記デバイスのための１つまたは複数の測定設定パラメータを設定するためのハンドインコンポーネントと
を備える、デバイスのための別の周波数の測定を設定するための装置。
［Ｃ１０２］
前記近接受信コンポーネントが、前記ＣＳＧの前記識別子を含まない第２の測定結果報告を、前記デバイスから受信し、前記ハンドインコンポーネントが、前記デバイスのための前記１つまたは複数の測定設定パラメータの設定を解除する、請求項１０１に記載の装置。
【図１】
0005599949.tif 000004
【図２】
0005599949.tif 000005
【図３】
0005599949.tif 000006
【図４】
0005599949.tif 000007
【図５】
0005599949.tif 000008
【図６】
0005599949.tif 000009
【図７】
0005599949.tif 000010
【図８】
0005599949.tif 000011
【図９】
0005599949.tif 000012
【図１０】
0005599949.tif 000013
【図１１】
0005599949.tif 000014
【図１２】
0005599949.tif 000015
【図１３】
0005599949.tif 000016
【図１４】
0005599949.tif 000017
【図１５】
0005599949.tif 000018
【図１６】
0005599949.tif 000019
【図１７】
0005599949.tif 000020
【図１８】
0005599949.tif 000021
【図１９】
0005599949.tif 000022
【図２０】
0005599949.tif 000023